(57)【要約】【課題】管理装置から送信されるデータ通信量を低減させ、端末で一覧表示される情報項目を確認するまでの時間を短縮すること。【解決手段】管理装置と接続された情報処理システムの端末が、一覧表示可能な情報項目の表示項目数を算出する表示項目数算出部と、算出された表示項目数の情報項目の取得を要求する項目一覧要求情報を管理装置に送信する表示項目要求部と、管理装置から送信される応答項目情報に含まれる情報項目を取得する表示項目取得部と、取得された情報項目を一覧表示させ、表示された情報項目のうち所望の情報項目を選択または非選択し、表示されていない情報項目を選択または非選択するための操作部と、表示された情報項目についての選択または非選択に関する表示項目選択情報と未表示の情報項目についての選択または非選択に関する未表示項目情報と選択情報項目に対する要求処理とを含む情報を送信する選択項目処理要求部とを備える。【選択図】図１２
2020126484.tif 000002
【特許請求の範囲】
【請求項１】
ネットワークに接続された情報処理端末と情報管理装置とからなり、
前記情報処理端末が、
複数の情報項目を表示画面に一覧表示する表示部と、
前記情報管理装置と通信する第一通信部と、
前記表示部の表示画面に一覧表示可能な情報項目の表示項目数を算出する表示項目数算出部と、
前記算出された情報項目の表示項目数に相当する個数の情報項目の取得を要求する項目一覧要求情報を、前記第一通信部を介して、前記情報管理装置に送信する表示項目要求部と、
前記情報管理装置から送信される応答項目情報に含まれる情報項目を取得する表示項目取得部と、
前記取得された情報項目を前記表示部の表示画面に一覧表示させる第一制御部と、
前記一覧表示された情報項目のうち所望の情報項目を選択または非選択し、表示されていない情報項目を選択または非選択するための操作部と、
前記一覧表示された情報項目についての選択または非選択に関する表示項目選択情報と、前記表示されていない情報項目についての選択または非選択に関する未表示項目情報を生成する項目選択情報生成部と、
前記生成された表示項目選択情報および未表示項目情報と、選択された情報項目に対する要求処理とを含む項目選択情報を、前記第一通信部を介して、前記情報管理装置に送信する選択項目処理要求部とを備え、
前記情報管理装置が、
前記情報処理端末と通信する第二通信部と、
複数の情報項目からなる管理項目情報を予め記憶した記憶部と、
前記情報処理端末から送信された項目一覧要求情報に基づいて、前記表示項目数に相当する個数の情報項目を、前記管理項目情報から取得する項目取得要求処理部と、
前記取得された表示項目数に相当する個数の情報項目を含む応答項目情報を生成する応答項目生成部と、
前記生成された応答項目情報を、第二通信部を介して、前記情報処理端末に送信する第二制御部と、
前記情報処理端末から送信された項目選択情報に含まれる表示項目選択情報を取得する項目選択情報取得部と、
前記情報処理端末から送信された項目選択情報に含まれる未表示項目情報を取得する未表示項目処理部と、
前記取得された表示項目選択情報に基づいて、前記管理項目情報に記憶されている情報項目の選択の有無の情報を更新し、前記取得された未表示項目情報に基づいて、前記管理項目情報に記憶されている表示されていない情報項目の選択の有無の情報を更新する選択有無更新部と、
前記更新後の管理項目情報に含まれる情報項目のうち、選択状態にある情報項目に対して前記情報処理端末によって要求された処理を実行する要求処理実行部とを備えた
ことを特徴とする情報処理システム。
【請求項２】
前記情報処理端末からの選択された情報項目に対する要求処理が、削除要求である場合、
前記要求処理実行部が、前記更新後の管理項目情報に含まれる情報項目のうち、選択状態にある情報項目を、管理項目情報から削除することを特徴とする請求項１に記載の情報処理システム。
【請求項３】
前記操作部によって、すべての情報項目を一括して選択する全選択の入力操作がされた場合、
前記項目選択情報生成部が、前記一覧表示された情報項目をすべて選択することを示す表示項目選択情報と、前記表示されていない情報項目をすべて選択することを示す未表示項目情報を生成することを特徴とする請求項１に記載の情報処理システム。
【請求項４】
前記操作部によって、すべての情報項目を一括して選択しない全非選択の入力操作がされた場合、
前記項目選択情報生成部が、前記一覧表示された情報項目をすべて選択しないことを示す表示項目選択情報と、前記表示されていない情報項目をすべて選択しないことを示す未表示項目情報を生成することを特徴とする請求項１に記載の情報処理システム。
【請求項５】
前記操作部によって、すべての情報項目を一括して選択する全選択の入力操作がされた後に、前記一覧表示された情報項目のうち、所望の情報項目を個別に選択しない非選択の入力操作がされた場合、
前記項目選択情報生成部が、前記一覧表示された情報項目について、情報項目ごとに個別に選択または非選択されたことを示す情報を設定した表示項目選択情報と、前記表示されていない情報項目をすべて選択することを示す未表示項目情報を生成することを特徴とする請求項１に記載の情報処理システム。
【請求項６】
前記操作部によって、すべての情報項目を一括して選択しない全非選択の入力操作がされた後に、前記一覧表示された情報項目のうち、所望の情報項目を個別に選択する入力操作がされた場合、
前記項目選択情報生成部が、前記一覧表示された情報項目について、情報項目ごとに個別に選択または非選択されたことを示す情報を設定した表示項目選択情報と、前記表示されていない情報項目をすべて選択しないことを示す未表示項目情報を生成することを特徴とする請求項１に記載の情報処理システム。
【請求項７】
前記操作部によって、すべての情報項目を一括して選択する全選択の入力操作がされていない状態で、前記一覧表示された情報項目のうち、所望の情報項目を個別に選択する入力操作がされた場合、
前記項目選択情報生成部が、前記一覧表示された情報項目について情報項目ごとに個別に選択または非選択されたことを示す情報を設定した表示項目選択情報と、前記表示されていない情報項目については選択状態を変更しないことを示す未表示項目情報を生成することを特徴とする請求項１に記載の情報処理システム。
【請求項８】
前記情報処理端末の操作部によって、前記一覧表示を要求する情報項目を限定するための条件制限が入力された場合、前記表示項目要求部が、前記条件制限を含めた前記項目一覧要求情報を、前記情報管理装置に送信し、
前記情報管理装置の項目取得要求処理部が、前記情報処理端末から送信された項目一覧要求情報に基づいて、前記管理項目情報から、前記項目一覧要求情報に含まれる条件制限に一致する情報項目を取得して、
前記応答項目生成部が、前記取得された条件制限に一致する情報項目のうち、前記表示項目数に相当する個数の情報項目を含む応答項目情報を生成することを特徴とする請求項１に記載の情報処理システム。
【請求項９】
前記表示項目取得部が、前記応答項目生成部によって生成された応答項目情報に含まれる前記条件制限に一致する情報項目を取得し、取得した情報項目を一覧表示した後、前記操作部によって、所望の情報項目に対する選択または非選択と、選択された情報項目に対する要求処理が入力された場合に、
前記項目選択情報生成部が、所望の情報項目に対する選択または非選択に関する表示項目選択情報と未表示項目情報を生成し、
前記選択項目処理要求部が、前記生成された表示項目選択情報および未表示項目情報と、前記入力された要求処理と、前記条件制限とを含む条件制限要求情報を、前記情報管理装置に送信することを特徴とする請求項８に記載の情報処理システム。
【請求項１０】
前記表示項目取得部によって取得された情報項目を前記表示部の表示画面に一覧表示させる場合、前記一覧表示された情報項目に対応付けて、一覧表示された各情報項目が個別に選択または非選択されたことを示すチェックボックスと、前記一覧表示されたすべての情報項目および表示されていないすべての情報項目が一括して選択または非選択されたことを示すチェックボックスを、前記一覧表示された表示画面に表示させることを特徴とする請求項１から９のいずれかに記載の情報処理システム。
【請求項１１】
ネットワークを介して情報管理装置に接続された情報処理端末であって、
複数の情報項目を表示画面に一覧表示する表示部と、
前記情報管理装置と通信する第一通信部と、
前記表示部の表示画面に一覧表示可能な情報項目の表示項目数を算出する表示項目数算出部と、
前記算出された情報項目の表示項目数に相当する個数の情報項目の取得を要求する項目一覧要求情報を、前記第一通信部を介して、前記情報管理装置に送信する表示項目要求部と、
前記情報管理装置から送信される応答項目情報に含まれる情報項目を取得する表示項目取得部と、
前記取得された情報項目を前記表示部の表示画面に一覧表示させる第一制御部と、
前記一覧表示された情報項目のうち所望の情報項目を選択または非選択し、表示されていない情報項目を選択または非選択するための操作部と、
前記一覧表示された情報項目についての選択または非選択に関する表示項目選択情報と、前記表示されていない情報項目についての選択または非選択に関する未表示項目情報を生成する項目選択情報生成部と、
前記生成された表示項目選択情報および未表示項目情報と、選択された情報項目に対する要求処理とを含む項目選択情報を、前記第一通信部を介して、前記情報管理装置に送信する選択項目処理要求部とを備えたことを特徴とする情報処理端末。
【請求項１２】
ネットワークに接続された情報処理端末と情報管理装置とからなる情報処理システムの情報通信方法であって、
前記情報処理端末において、複数の情報項目を表示画面に一覧表示することを要求する入力操作がされた場合に、前記表示画面に一覧表示可能な情報項目の表示項目数を算出するステップと、
前記算出された情報項目の表示項目数に相当する個数の情報項目の取得を要求する項目一覧要求情報を、前記情報管理装置に送信するステップと、
前記情報処理端末から送信された項目一覧要求情報に基づいて、前記表示項目数に相当する個数の情報項目を、前記情報管理装置に予め記憶された複数の情報項目からなる管理項目情報から取得するステップと、
前記取得された表示項目数に相当する個数の情報項目を含む応答項目情報を生成するステップと、
前記生成された応答項目情報を、前記情報処理端末に送信するステップと、
前記情報管理装置から送信される応答項目情報に含まれる情報項目を取得するステップと、
前記取得された情報項目を前記表示画面に一覧表示させるステップと、
前記一覧表示された情報項目のうち所望の情報項目を選択または非選択させ、表示されていない情報項目を選択または非選択させるステップと、
前記一覧表示された情報項目についての選択または非選択に関する表示項目選択情報と、前記表示されていない情報項目についての選択または非選択に関する未表示項目情報を生成するステップと、
前記生成された表示項目選択情報および未表示項目情報と、選択された情報項目に対する要求処理とを含む項目選択情報を、前記情報管理装置に送信するステップと、
前記情報処理端末から送信された項目選択情報に含まれる表示項目選択情報を取得するステップと、
前記情報処理端末から送信された項目選択情報に含まれる未表示項目情報を取得するステップと、
前記取得された表示項目選択情報に基づいて、前記管理項目情報に記憶されている情報項目の選択の有無の情報を更新するステップと、
前記取得された未表示項目情報に基づいて、前記管理項目情報に記憶されている表示されていない情報項目の選択の有無の情報を更新するステップと、
前記更新後の管理項目情報に含まれる情報項目のうち、選択状態にある情報項目に対して前記情報処理端末によって要求された処理を実行するステップとを備えたことを特徴とする情報処理システムの情報通信方法。
【請求項１３】
ネットワークを介して情報管理装置に接続された情報処理端末における情報項目の選択方法であって、
複数の情報項目を表示画面に一覧表示することを要求する入力操作がされた場合に、前記表示画面に一覧表示可能な情報項目の表示項目数を算出するステップと、
前記算出された情報項目の表示項目数に相当する個数の情報項目の取得を要求する項目一覧要求情報を、前記情報管理装置に送信するステップと、
前記情報管理装置から送信される応答項目情報に含まれる情報項目を取得するステップと、
前記取得された情報項目を前記表示画面に一覧表示させるステップと、
前記一覧表示された情報項目と表示されていない情報項目を一括して選択または非選択させるステップと、
前記一覧表示された情報項目のうち所望の情報項目を個別に選択または非選択するステップとを備えたことを特徴とする情報処理端末における情報項目の選択方法。
【発明の詳細な説明】
【技術分野】
【０００１】
この発明は、情報処理システムに関し、特に、多数の情報項目について、一覧表示、選択、転送、削除等の処理をすることが可能な情報処理システムに関する。
【背景技術】
【０００２】
従来から、ネットワークに接続されたプリンタ等のデバイスの動作状態等を管理する情報管理システムが利用されている。
たとえば、特許文献１には、ネットワーク管理ユーティリティが格納されたホストコンピュータにおいて、ネットワークに接続された複数のデバイスからオブジェクト情報を取得して、現在ネットワークに接続されているデバイスの名称や状態などからなるデバイスリストを表示し、さらに、ユーザによって入力または選択された情報を、デバイスリストの所定の領域に表示することによって、全ユーザに詳細なデバイス情報を提供するようにしたデバイス一覧表示方法が開示されている。
【０００３】
また、特許文献２には、印刷実行の指示がされた印刷ジョブのジョブ情報（ジョブＮｏ、ジョブ名、ページ数、出力先など）と、印刷ジョブのジョブステータスとを取得し、取得した複数のジョブ情報とジョブステータスをＵＩ画面のジョブリスト部に一覧表示させ、ＵＩ画面に表示されたジョブ選択ボタンや、表示されているジョブを全選択する全選択ボタンを利用してジョブを選択し、印刷ボタンを押下することにより、印刷ジョブを一括印刷するというジョブ管理が可能な情報処理装置が開示されている。
【０００４】
また、ユーザの所有する情報機器から、ネットワークを介して多数の情報項目を管理するサーバ等に接続し、所定のキーワードを含む情報項目の検索や、ネットワークに接続された複数の情報機器の情報項目の取得を行い、検索または取得された情報項目を表示画面に一覧表示させて情報項目を確認し、所望の情報項目に対して、選択や削除等の処理を実行させることが行われている。
【０００５】
従来技術では、たとえば、サーバに接続して所定のキーワードＡを含む情報項目の検索と一覧表示要求を行った場合、キーワードＡを含むすべての情報項目が、サーバからユーザの所有する情報機器に送信され、受信したすべての情報項目が情報機器の記憶装置に保存され、受信したすべての情報項目のうち、画面に表示可能な個数の情報項目が、ユーザの情報機器の表示装置に一覧表示される。
【０００６】
あるいは、検索で見つけられた情報項目の件数が非常に多い場合、サーバから一度に送信される情報のデータ通信量を制限することが行われている。たとえば、一括送信できる情報項目数をｎ個（たとえば、ｎ＝２５）に制限し、受信されたｎ個の情報項目を情報機器の表示装置に一覧表示させ、次のｎ個の情報項目を見たい場合には、ユーザが次の情報項目の一覧表示要求を意味する入力操作をすることにより、サーバに次のｎ個の情報項目を要求し、サーバから送信されてくる新たなｎ個の情報項目を情報機器の表示装置に一覧表示させるということを、繰り返し行っていた。
【先行技術文献】
【特許文献】
【０００７】
【特許文献１】特開２００４−１３８０３号公報
【特許文献２】特開２０１６−１４９０９３号公報
【発明の概要】
【発明が解決しようとする課題】
【０００８】
従来技術において、サーバから、要求したキーワードＡを含むすべての情報項目が一括して送信されてくる場合、ユーザは、所定の画面スクロール操作をすることにより、受信されたすべての情報項目を、一部分ずつ確認することができる。
しかし、検索等された情報項目が何千件も有るというような場合、サーバから一度に送信される情報のデータ通信量が非常に多く、送信にかかる時間が非常に長い。
したがって、すべての情報項目を一括して送信する場合、ユーザの情報機器で一覧表示を要求した後、すべての情報項目を受信して、その情報項目の一覧表示が完了するまでに、かなりの長時間を必要とする場合があり、ユーザは、一覧表示が完了するまで、情報項目の閲覧や、情報項目に対する処理を実行できず、ユーザの作業効率が悪かった。
【０００９】
また、一括送信できる情報項目数をｎ個に制限する場合、サーバから一度に送信される情報のデータ通信量が少なくなるので、受信されたｎ個の情報項目の表示に係る時間は短縮されるが、次のｎ個の情報項目を一覧表示させるためには、所定の一覧表示要求を意味する入力操作をする必要があった。
特に、検索等された情報項目が何千件も有るというように非常に多い場合、一覧表示画面にはｎ個の情報項目ごとに表示されるため、すべての情報項目の確認を終了するまでに、上記の一覧表示要求を意味する入力操作を、繰り返し行う必要があり、ユーザの操作が煩雑になり、ユーザの操作にかかる負担が大きかった。
【００１０】
さらに、画面に表示されている情報項目を全選択する全選択欄や、一覧表示画面に表示された複数の情報項目のうち所望の情報項目を個別に選択する個別選択欄を備えている場合は、全選択欄や個別選択欄を利用して、複数の情報項目を選択することが可能であるが、この場合でも、選択可能な情報項目は、現在の一覧表示画面に表示された複数の情報項目に限定されていた。
【００１１】
たとえば、全選択欄に入力した場合も、その全選択は、現在の一覧表示画面に表示された複数の情報項目のみに有効であるので、現在の一覧表示画面に表示されていない情報項目についても、全選択をしたい場合には、次の所定数の情報項目を表示画面に一覧表示させる操作をした後、全選択欄に入力するという一連の操作を繰り返し行う必要がある。
特に、検索等された情報項目が何千件も有るというように非常に多い場合において、その全件を全選択したい場合には、たとえば、表示画面に十数個の情報項目を含む一覧表示をさせた後、全選択欄に入力するという一連の操作を何度も繰り返す必要があり、ユーザの操作は非常に面倒であり、ユーザの操作負担が非常に大きかった。
【００１２】
そこで、この発明は、以上のような事情を考慮してなされたものであり、所望の情報項目の一覧表示をサーバに要求した場合に、サーバから一度に送信される複数の情報項目のデータ通信量を制限し、ユーザが一覧表示要求をした後表示画面に一覧表示される情報項目を確認するまでの時間を短縮し、複数の情報項目が表示画面に一覧表示された状態で、所定の処理を実行させたい情報項目を選択する場合において、情報項目の全件選択や個別選択をするときにかかるユーザの操作負担を軽減することのできる情報処理システムを提供することを課題とする。
【課題を解決するための手段】
【００１３】
この発明は、ネットワークに接続された情報処理端末と情報管理装置とからなり、前記情報処理端末が、複数の情報項目を表示画面に一覧表示する表示部と、前記情報管理装置と通信する第一通信部と、前記表示部の表示画面に一覧表示可能な情報項目の表示項目数を算出する表示項目数算出部と、前記算出された情報項目の表示項目数に相当する個数の情報項目の取得を要求する項目一覧要求情報を、前記第一通信部を介して、前記情報管理装置に送信する表示項目要求部と、前記情報管理装置から送信される応答項目情報に含まれる情報項目を取得する表示項目取得部と、前記取得された情報項目を前記表示部の表示画面に一覧表示させる第一制御部と、前記一覧表示された情報項目のうち所望の情報項目を選択または非選択し、表示されていない情報項目を選択または非選択するための操作部と、前記一覧表示された情報項目についての選択または非選択に関する表示項目選択情報と、前記表示されていない情報項目についての選択または非選択に関する未表示項目情報を生成する項目選択情報生成部と、前記生成された表示項目選択情報および未表示項目情報と、選択された情報項目に対する要求処理とを含む項目選択情報を、前記第一通信部を介して、前記情報管理装置に送信する選択項目処理要求部とを備え、前記情報管理装置が、前記情報処理端末と通信する第二通信部と、複数の情報項目からなる管理項目情報を予め記憶した記憶部と、前記情報処理端末から送信された項目一覧要求情報に基づいて、前記表示項目数に相当する個数の情報項目を、前記管理項目情報から取得する項目取得要求処理部と、前記取得された表示項目数に相当する個数の情報項目を含む応答項目情報を生成する応答項目生成部と、前記生成された応答項目情報を、第二通信部を介して、前記情報処理端末に送信する第二制御部と、前記情報処理端末から送信された項目選択情報に含まれる表示項目選択情報を取得する項目選択情報取得部と、前記情報処理端末から送信された項目選択情報に含まれる未表示項目情報を取得する未表示項目処理部と、前記取得された表示項目選択情報に基づいて、前記管理項目情報に記憶されている情報項目の選択の有無の情報を更新し、前記取得された未表示項目情報に基づいて、前記管理項目情報に記憶されている表示されていない情報項目の選択の有無の情報を更新する選択有無更新部と、前記更新後の管理項目情報に含まれる情報項目のうち、選択状態にある情報項目に対して前記情報処理端末によって要求された処理を実行する要求処理実行部とを備えたことを特徴とする情報処理システムを提供するものである。
【００１４】
また、前記情報処理端末からの選択された情報項目に対する要求処理が、削除要求である場合、前記要求処理実行部が、前記更新後の管理項目情報に含まれる情報項目のうち、選択状態にある情報項目を、管理項目情報から削除することを特徴とする。
【００１５】
また、前記操作部によって、すべての情報項目を一括して選択する全選択の入力操作がされた場合、前記項目選択情報生成部が、前記一覧表示された情報項目をすべて選択することを示す表示項目選択情報と、前記表示されていない情報項目をすべて選択することを示す未表示項目情報を生成することを特徴とする。
【００１６】
また、前記操作部によって、すべての情報項目を一括して選択しない全非選択の入力操作がされた場合、前記項目選択情報生成部が、前記一覧表示された情報項目をすべて選択しないことを示す表示項目選択情報と、前記表示されていない情報項目をすべて選択しないことを示す未表示項目情報を生成することを特徴とする。
【００１７】
また、前記操作部によって、すべての情報項目を一括して選択する全選択の入力操作がされた後に、前記一覧表示された情報項目のうち、所望の情報項目を個別に選択しない非選択の入力操作がされた場合、前記項目選択情報生成部が、前記一覧表示された情報項目について、情報項目ごとに個別に選択または非選択されたことを示す情報を設定した表示項目選択情報と、前記表示されていない情報項目をすべて選択することを示す未表示項目情報を生成することを特徴とする。
【００１８】
また、前記操作部によって、すべての情報項目を一括して選択しない全非選択の入力操作がされた後に、前記一覧表示された情報項目のうち、所望の情報項目を個別に選択する入力操作がされた場合、前記項目選択情報生成部が、前記一覧表示された情報項目について、情報項目ごとに個別に選択または非選択されたことを示す情報を設定した表示項目選択情報と、前記表示されていない情報項目をすべて選択しないことを示す未表示項目情報を生成することを特徴とする。
【００１９】
また、前記操作部によって、すべての情報項目を一括して選択する全選択の入力操作がされていない状態で、前記一覧表示された情報項目のうち、所望の情報項目を個別に選択する入力操作がされた場合、前記項目選択情報生成部が、前記一覧表示された情報項目について情報項目ごとに個別に選択または非選択されたことを示す情報を設定した表示項目選択情報と、前記表示されていない情報項目については選択状態を変更しないことを示す未表示項目情報を生成することを特徴とする。
【００２０】
また、前記情報処理端末の操作部によって、前記一覧表示を要求する情報項目を限定するための条件制限が入力された場合、前記表示項目要求部が、前記条件制限を含めた前記項目一覧要求情報を、前記情報管理装置に送信し、前記情報管理装置の項目取得要求処理部が、前記情報処理端末から送信された項目一覧要求情報に基づいて、前記管理項目情報から、前記項目一覧要求情報に含まれる条件制限に一致する情報項目を取得して、前記応答項目生成部が、前記取得された条件制限に一致する情報項目のうち、前記表示項目数に相当する個数の情報項目を含む応答項目情報を生成することを特徴とする。
【００２１】
また、前記表示項目取得部が、前記応答項目生成部によって生成された応答項目情報に含まれる前記条件制限に一致する情報項目を取得し、取得した情報項目を一覧表示した後、前記操作部によって、所望の情報項目に対する選択または非選択と、選択された情報項目に対する要求処理が入力された場合に、前記項目選択情報生成部が、所望の情報項目に対する選択または非選択に関する表示項目選択情報と未表示項目情報を生成し、前記選択項目処理要求部が、前記生成された表示項目選択情報および未表示項目情報と、前記入力された要求処理と、前記条件制限とを含む条件制限要求情報を、前記情報管理装置に送信することを特徴とする。
【００２２】
また、前記表示項目取得部によって取得された情報項目を前記表示部の表示画面に一覧表示させる場合、前記一覧表示された情報項目に対応付けて、一覧表示された各情報項目が個別に選択または非選択されたことを示すチェックボックスと、前記一覧表示されたすべての情報項目および表示されていないすべての情報項目が一括して選択または非選択されたことを示すチェックボックスを、前記一覧表示された表示画面に表示させることを特徴とする。
【００２３】
また、この発明は、ネットワークを介して情報管理装置に接続された情報処理端末であって、複数の情報項目を表示画面に一覧表示する表示部と、前記情報管理装置と通信する第一通信部と、前記表示部の表示画面に一覧表示可能な情報項目の表示項目数を算出する表示項目数算出部と、前記算出された情報項目の表示項目数に相当する個数の情報項目の取得を要求する項目一覧要求情報を、前記第一通信部を介して、前記情報管理装置に送信する表示項目要求部と、前記情報管理装置から送信される応答項目情報に含まれる情報項目を取得する表示項目取得部と、前記取得された情報項目を前記表示部の表示画面に一覧表示させる第一制御部と、前記一覧表示された情報項目のうち所望の情報項目を選択または非選択し、表示されていない情報項目を選択または非選択するための操作部と、前記一覧表示された情報項目についての選択または非選択に関する表示項目選択情報と、前記表示されていない情報項目についての選択または非選択に関する未表示項目情報を生成する項目選択情報生成部と、前記生成された表示項目選択情報および未表示項目情報と、選択された情報項目に対する要求処理とを含む項目選択情報を、前記第一通信部を介して、前記情報管理装置に送信する選択項目処理要求部とを備えたことを特徴とする情報処理端末を提供するものである。
【００２４】
また、この発明は、ネットワークに接続された情報処理端末と情報管理装置とからなる情報処理システムの情報通信方法であって、前記情報処理端末において、複数の情報項目を表示画面に一覧表示することを要求する入力操作がされた場合に、前記表示画面に一覧表示可能な情報項目の表示項目数を算出するステップと、前記算出された情報項目の表示項目数に相当する個数の情報項目の取得を要求する項目一覧要求情報を、前記情報管理装置に送信するステップと、前記情報処理端末から送信された項目一覧要求情報に基づいて、前記表示項目数に相当する個数の情報項目を、前記情報管理装置に予め記憶された複数の情報項目からなる管理項目情報から取得するステップと、前記取得された表示項目数に相当する個数の情報項目を含む応答項目情報を生成するステップと、前記生成された応答項目情報を、前記情報処理端末に送信するステップと、前記情報管理装置から送信される応答項目情報に含まれる情報項目を取得するステップと、前記取得された情報項目を前記表示画面に一覧表示させるステップと、前記一覧表示された情報項目のうち所望の情報項目を選択または非選択させ、表示されていない情報項目を選択または非選択させるステップと、前記一覧表示された情報項目についての選択または非選択に関する表示項目選択情報と、前記表示されていない情報項目についての選択または非選択に関する未表示項目情報を生成するステップと、前記生成された表示項目選択情報および未表示項目情報と、選択された情報項目に対する要求処理とを含む項目選択情報を、前記情報管理装置に送信するステップと、前記情報処理端末から送信された項目選択情報に含まれる表示項目選択情報を取得するステップと、前記情報処理端末から送信された項目選択情報に含まれる未表示項目情報を取得するステップと、前記取得された表示項目選択情報に基づいて、前記管理項目情報に記憶されている情報項目の選択の有無の情報を更新するステップと、前記取得された未表示項目情報に基づいて、前記管理項目情報に記憶されている表示されていない情報項目の選択の有無の情報を更新するステップと、前記更新後の管理項目情報に含まれる情報項目のうち、選択状態にある情報項目に対して前記情報処理端末によって要求された処理を実行するステップとを備えたことを特徴とする情報処理システムの情報通信方法を提供するものである。
【００２５】
また、この発明は、ネットワークを介して情報管理装置に接続された情報処理端末における情報項目の選択方法であって、複数の情報項目を表示画面に一覧表示することを要求する入力操作がされた場合に、前記表示画面に一覧表示可能な情報項目の表示項目数を算出するステップと、前記算出された情報項目の表示項目数に相当する個数の情報項目の取得を要求する項目一覧要求情報を、前記情報管理装置に送信するステップと、前記情報管理装置から送信される応答項目情報に含まれる情報項目を取得するステップと、前記取得された情報項目を前記表示画面に一覧表示させるステップと、前記一覧表示された情報項目と表示されていない情報項目を一括して選択または非選択させるステップと、前記一覧表示された情報項目のうち所望の情報項目を個別に選択または非選択するステップとを備えたことを特徴とする情報処理端末における情報項目の選択方法を提供するものである。
【発明の効果】
【００２６】
この発明によれば、情報処理端末が、表示部の表示画面に一覧表示可能な情報項目の表示項目数を算出して、算出された表示項目数に相当する個数の情報項目の取得を要求する項目一覧要求情報を情報管理装置に送信し、情報管理装置が、情報処理端末から送信された項目一覧要求情報に基づいて、表示項目数に相当する個数の情報項目を、予め記憶された管理項目情報から取得して、取得された表示項目数の情報項目を含む応答項目情報を、情報処理端末に送信するので、所望の情報項目の一覧表示を情報管理装置に要求した場合に、情報管理装置から一度に送信される複数の情報項目のデータ通信量を制限することができ、情報処理端末において、ユーザが一覧表示要求をした後表示画面に一覧表示される情報項目を確認するまでの時間を短縮することができる。
【００２７】
また、情報処理端末が、表示画面に一覧表示された情報項目のうち所望の情報項目を選択または非選択し、表示されていない情報項目を選択または非選択するための操作部を備え、一覧表示された情報項目についての選択または非選択に関する表示項目選択情報と、表示されていない情報項目についての選択または非選択に関する未表示項目情報と、選択された情報項目に対する要求処理とを含む項目選択情報を、情報管理装置に送信し、情報管理装置において、受信された項目選択情報に含まれる表示項目選択情報に基づいて、管理項目情報に記憶されている情報項目の選択の有無の情報を更新し、受信された項目選択情報に含まれる未表示項目情報に基づいて、管理項目情報に記憶されている表示されていない情報項目の選択の有無の情報を更新するので、特に、複数の情報項目が表示画面に一覧表示された状態で、所定の処理を実行させたい情報項目を選択する場合において、表示されたすべての情報項目と表示されていないすべての情報項目を全件選択するときにかかるユーザの操作負担を軽減することができる。
【図面の簡単な説明】
【００２８】
【図１】この発明の情報処理端末の一実施例の構成ブロック図である。
【図２】この発明の情報管理装置の一実施例の構成ブロック図である。
【図３】この発明の情報管理装置に記憶される管理項目情報の一実施例の説明図である。
【図４】この発明の情報処理端末と情報管理装置との間で通信される情報の一実施例の説明図である。
【図５】この発明の情報処理端末と情報管理装置との間で通信される情報の一実施例の説明図である。
【図６】この発明の情報処理端末と情報管理装置との間で通信される情報の一実施例の説明図である。
【図７】この発明の情報処理端末と情報管理装置との間で通信される情報の一実施例の説明図である。
【図８】この発明の情報処理端末で表示される項目情報の一実施例の説明図である。
【図９】この発明の情報処理端末で表示される項目情報の一実施例の説明図である。
【図１０】この発明の情報処理端末で表示される項目情報の一実施例の説明図である。
【図１１】この発明の情報処理端末と情報管理装置との間において、項目一覧要求送信と応答項目情報受信のシーケンスの一実施例の説明図である。
【図１２】この発明の情報処理端末において、項目一覧の全選択入力をした場合のシーケンスの一実施例の説明図である。
【図１３】この発明の情報処理端末において、項目一覧の全非選択入力をした場合のシーケンスの一実施例の説明図である。
【図１４】この発明の情報処理端末において、全選択入力後に、個別非選択入力をした場合のシーケンスの一実施例の説明図である。
【図１５】この発明の情報処理端末において、全非選択入力後に、個別選択入力をした場合のシーケンスの一実施例の説明図である。
【図１６】この発明の情報処理端末において、全選択入力をせずに、個別一部選択入力をした場合のシーケンスの一実施例の説明図である。
【図１７】この発明の情報処理端末において、削除要求入力をする場合に表示される項目情報の一実施例の説明図である。
【図１８】この発明の情報処理端末において、全選択入力後に、項目削除入力をした場合のシーケンスの一実施例の説明図である。
【図１９】この発明の情報処理端末において、全選択入力をせずに、項目削除入力をした場合のシーケンスの一実施例の説明図である。
【図２０】この発明の情報処理端末においてフィルタ付き削除要求の入力をした場合に、情報管理装置で記憶される管理項目情報と、通信される情報の一実施例の説明図である。
【図２１】この発明の情報処理端末においてフィルタ付き削除要求の入力をした場合に、情報処理端末で表示される項目情報の一実施例の説明図である。
【図２２】この発明の情報処理端末においてフィルタ付き削除要求の入力をした場合に、情報処理端末と情報管理装置との間における項目一覧要求送信と応答項目情報受信のシーケンスの一実施例の説明図である。
【図２３】この発明の情報処理端末においてフィルタ付き削除要求の入力をする場合において、全選択入力後に、項目削除入力をした場合のシーケンスの一実施例の説明図である。
【図２４】この発明の情報処理端末においてフィルタ付き削除要求の入力をする場合において、全選択入力後に、個別非選択入力をし、項目削除入力をした場合のシーケンスの一実施例の説明図である。
【発明を実施するための形態】
【００２９】
以下、図面を使用して本発明の実施の形態を説明する。なお、以下の実施例の記載によって、この発明が限定されるものではない。
【００３０】
＜情報処理システムの構成＞
この発明の情報処理システムは、ネットワークに接続された情報処理端末と情報管理装置とからなる。
情報処理端末と情報管理装置は、LANなどの所定のネットワークを介して接続され、相互に情報通信を行う。
情報管理装置は、いわゆる情報処理装置に相当し、多数の情報を記憶し、情報処理端末からの要求に応じて、要求された情報を情報処理端末に提供し、情報の追加、削除、編集等を行う装置である。情報管理装置を、以下、サーバ、SVとも呼ぶ。
【００３１】
情報処理端末は、いわゆる情報処理装置に相当し、情報管理装置（サーバ）SVに対して、情報管理装置に記憶された情報の閲覧要求や検索要求等を行い、後述するように、情報管理装置（サーバ）SVから送信された複数の情報項目について、全選択や個別選択を行って、選択された情報項目に対する所定の処理を情報管理装置SVに要求する装置である。
情報処理端末を、以下、単に、端末、TEとも呼ぶ。
この発明の情報処理端末TEには、パソコン、携帯端末、画像形成装置、情報通信装置、家電機器などが含まれる。
【００３２】
ネットワークとしては、ＬＡＮ、インターネットなどのＷＡＮ、専用通信回線など、現在利用可能なあらゆるネットワークが利用される。
情報処理端末TEと情報管理装置SVのどちらも、１台に限定するものではなく、複数台の端末TEと、複数台のサーバSVがネットワークに接続され、それぞれが互いに通信できるように構成されてもよい。
【００３３】
＜情報処理端末の構成＞
図１に、この発明の情報処理端末の一実施例の構成ブロック図を示す。
情報処理端末（TE）１は、情報管理装置（サーバ）SVに対して、サーバSVに記憶された情報項目の閲覧要求等を行い、サーバSVから取得した情報項目の一覧表示を行って、ユーザによる情報項目の選択又は非選択入力によって、選択された情報項目に対する所定の処理を、サーバSVに要求することが可能な装置である。以下、情報項目を、単に、項目とも呼ぶ。
【００３４】
図１において、この発明の情報処理端末（TE）１は、主として、制御部１１、操作部１２、表示部１３、通信部１４、表示項目数算出部２１、表示項目要求部２２、表示項目取得部２３、項目選択情報生成部２４、選択項目処理要求部２５、項目削除要求部２６、項目表示条件制限部２７、記憶部５０を備える。
情報処理端末（TE）１は、ネットワーク３を介して、情報管理装置（SV）２に接続される。
【００３５】
情報処理端末TEの制御部１１は、上記した第一制御部に相当し、操作部、表示部、表示項目取得部などの各構成要素の動作を制御する部分である。
たとえば、後述するように、表示項目取得部２３によって取得された情報項目を表示部１３の表示画面に一覧表示させる。
制御部１１は、主として、ＣＰＵ、ＲＯＭ、ＲＡＭ、Ｉ／Ｏコントローラ、タイマー等からなるマイクロコンピュータによって実現される。
ＣＰＵは、ＲＯＭ等に予め格納された制御プログラムに基づいて、各種ハードウェアを有機的に動作させて、この発明の通信機能、表示項目取得機能などを実行する。
また、上記構成要素のうち、表示項目数算出部２１から項目表示条件制限部２７までは、ＣＰＵが、所定のプログラムに基づいてそれぞれの処理を実行する機能ブロックである。
【００３６】
操作部１２は、情報処理端末TEの利用者が所定の入力操作をするための入力装置であり、文字などの情報の入力や、機能の選択入力をする部分であり、キーボード、マウス、タッチパネルなどが用いられる。
たとえば、ユーザが、表示画面に一覧表示された情報項目を見ながら、タッチパネル等を利用して所定の入力操作をすることによって、一覧表示された情報項目のうち所望の情報項目を選択または非選択し、あるいは、表示されていない情報項目を選択または非選択する。
情報項目の選択操作としては、後述するように、たとえば、全選択、全非選択、個別選択、個別非選択などがある。
また、項目の一覧要求入力、項目の削除要求入力、表示する項目を制限する項目表示条件の入力なども、ユーザが操作部１２によって行う。
【００３７】
表示部１３は、情報を表示する部分であり、特に、この発明では、複数の情報項目を表示画面に一覧表示する。
また、各機能の実行に必要な情報や、機能の実行の結果などを、利用者に知らせるために表示する。
表示部１３としては、たとえば、LCD、有機ELディスプレイなどが用いられ、操作部１２としてタッチパネルが用いられる場合は、表示部とタッチパネルとが重ね合わせて配置される。
表示部１３には、たとえば、一覧要求された情報項目の一覧表示画面、情報処理端末TEの所定の機能を実行するのに必要な情報、選択された情報項目の詳細内容などが、文字、記号、画像、アイコン等を用いて、表示される。
【００３８】
通信部１４は、ＬＡＮ等のネットワークを介して、情報管理装置（サーバ）SVや、他の情報通信機器と通信をする部分であり、上記した第一通信部に相当する。たとえば、ユーザの入力操作による項目一覧要求、選択要求、削除要求などを、ネットワークに接続されたサーバSVに送信する。
また、サーバSVから、一覧要求した情報項目を受信する。
【００３９】
表示項目数算出部２１は、情報処理端末TEの表示部１３の表示画面に一覧表示可能な情報項目の数（表示項目数：ｎ）を算出する部分である。１つの表示画面に、一度に表示できる情報項目の数を、表示項目数と呼ぶ。
複数の情報項目を、一覧できる形式で表示する場合、１つの行に、１つの情報項目の内容を表示するとすれば、表示画面の縦方向の解像度と、表示する領域の大きさと、予め設定された１つの行の縦方向の幅や文字の大きさ等との関係によって、１つの表示画面に、一度に表示できる情報項目の数が予め決められる。たとえば、Webブラウザ内にある表示要素の高さ属性を取得し、取得した高さ属性から、縦方向に並んだ複数の情報項目が存在する表示領域の高さを求めて、表示領域の高さを１つの情報項目の表示高さで割ることにより、１つの表示画面に表示可能な情報項目の数が算出される。
【００４０】
また、表示される文字の大きさの拡大や縮小ができる機能を有する場合は、その拡大や縮小に伴って、一覧表示可能な項目の数が変化するので、文字の大きさを変更した場合は、表示項目数を再度計算する必要がある。
計算された表示項目数５１は、記憶部５０に記憶され、後述するように、サーバSVに一覧要求を送信する場合に、サーバSVから取得する情報項目の数を指定する情報として利用される。
【００４１】
表示項目要求部２２は、表示部１３に、情報項目を一覧表示させる場合に、表示画面に表示させる情報項目を、サーバSVに要求する部分である。
たとえば、ユーザが、操作部１２によって、所定の情報項目の一覧表示を要求する項目一覧表示要求を意味する入力操作をした場合、表示項目要求部２２は、算出された情報項目の表示項目数に相当する個数の情報項目の取得を要求する項目一覧要求情報を生成し、通信部１４を介して、その項目一覧要求情報を、サーバSVに送信する。
【００４２】
生成される項目一覧要求情報には、上記した表示項目数ｎが含まれる。
たとえば、項目一覧要求情報は、後述する図４（a）に示すような情報である。
ただし、サーバSVに送信する項目一覧要求情報に含める情報は、表示項目数ｎに限るものではない。
表示項目数ｎの代わりに、ユーザが、一覧表示させたい情報項目の個数（要求項目数ｍ）を設定入力し、この入力された要求項目数ｍを、項目一覧要求情報に含めてもよい。
【００４３】
たとえば、表示項目数ｎが１０であったとしても、ユーザが一覧表示させたい情報項目の個数（要求項目数ｍ）が７であれば、この要求項目数である７を、項目一覧要求情報に含めてもよい。
あるいは、表示項目数ｎが１０であったとしても、ユーザが一覧表示させたい情報項目の個数（要求項目数ｍ）が１５であれば、この要求項目数である１５を、項目一覧要求情報に含めてもよい。この場合、表示画面に表示できる項目数が１０であれば、１５個の情報項目を一度に表示画面に表示できないので、１０個の情報項目が表示画面に表示された後、残りの５個の情報項目を見たい場合は、ユーザは、たとえば、表示画面をスクロールさせる操作をする必要がある。
【００４４】
また、一覧要求する項目に条件を付けたい場合は、ユーザが、一覧要求条件（フィルタ）を入力し、その入力された一覧要求条件（フィルタ）も、項目一覧要求情報に含めるようにする。
この項目一覧要求情報を受信したサーバSVは、たとえば、サーバSVに予め記憶されている多数の情報項目のうち、表示項目数ｎに相当する個数の情報項目を読み出して、応答項目情報として、端末TEに送信する。
【００４５】
表示項目取得部２３は、サーバSVから送信される応答項目情報に含まれる情報項目を取得する部分である。
上記のように、項目一覧表示要求に対して、サーバSVから応答項目情報が送信されるが、この応答項目情報には、表示項目数ｎに相当する個数の情報項目が含まれている。
すなわち、応答項目情報に含まれるｎ個の情報項目を取得して、記憶部５０に、受信応答項目情報５２として記憶する。
【００４６】
ここで、取得される各情報項目には、その項目情報の項目名の他に、項目内容も含まれる。
たとえば、情報項目が、ネットワークに接続された複数の画像形成装置に関する情報である場合、１つの情報項目には、項目名である画像形成装置の識別名と、項目内容に相当する情報として、IPアドレス、動作状態、利用可能な用紙サイズ、用紙の残量、トナーの残量、記憶装置の残容量、装置モデル名、シリアル番号、出力数カウンタ、設置場所情報などが含まれる。
また、取得したｎ個の情報項目は、項目一覧表示要求に対するものなので、表示部１３に、所定の一覧表示形式で、表示される。
表示項目数ｎが１０の場合、たとえば、図８（a）に示すように、１０個の項目情報からなる一覧表示がされる。
【００４７】
取得される情報項目の数が、表示項目数ｎに制限されるので、サーバSVから、要求された情報項目の全件を一度に送信する場合に比べて、サーバSVから送信される情報のデータ通信量を少なくすることができ、端末TEにおいて、ユーザが一覧表示要求をしてから取得した情報項目を一覧表示するまでの応答時間を短縮することができる。
また、取得される情報項目の数は、表示画面に表示可能な個数に制限されているので、送信されてきた複数の情報項目を一目で閲覧することができ、現在の表示画面に表示できない情報項目がないので、ユーザは、スクロール操作をする必要がない。
【００４８】
項目選択情報生成部２４は、ユーザによる選択操作に対応して、選択または非選択された情報項目に関する情報を生成する部分である。
特に、一覧表示された情報項目についての選択または非選択に関する表示項目選択情報と、表示されていない情報項目についての選択または非選択に関する未表示項目情報を生成する。
ユーザが、表示部１３に一覧表示された情報項目を確認して、所望の項目を選択する操作をする場合があるが、この場合、選択された情報項目に、選択されたことを意味する情報を付与する。
たとえば、一覧表示された情報項目のうち、所望の３つの項目を選択する操作をした場合、その３つの項目について、選択がされたことを示す情報が付与される。
【００４９】
また、表示画面に表示されている項目だけでなく、表示されていない項目も含め、操作部１２によって、一覧表示を要求したすべての情報項目を一括して選択することを意味する全選択の入力操作がされた場合、全選択がされたことを示す情報が生成される。
すなわち、項目選択情報生成部２４が、一覧表示された情報項目をすべて選択することを示す表示項目選択情報と、表示画面に表示されていない情報項目をすべて選択することを示す未表示項目情報を生成する。
この場合は、後述するように、一括選択情報が生成される。
【００５０】
また、操作部１２によって、一覧表示を要求したすべての情報項目を一括して選択しないことを意味する全非選択の入力操作がされた場合、全非選択がされたことを示す情報が生成される。
すなわち、項目選択情報生成部２４が、一覧表示された情報項目をすべて選択しないことを示す表示項目選択情報と、表示画面に表示されていない情報項目をすべて選択しないことを示す未表示項目情報を生成する。
この場合は、後述するように、一括非選択情報が生成される。
【００５１】
あるいは、操作部１２によって、すべての情報項目を一括して選択する全選択の入力操作がされた後に、一覧表示された情報項目のうち、所望の情報項目を個別に選択しない非選択の入力操作がされた場合、項目選択情報生成部２４が、一覧表示された情報項目について、情報項目ごとに個別に選択または非選択されたことを示す情報を設定した表示項目選択情報と、表示画面に表示されていない情報項目をすべて選択することを示す未表示項目情報を生成する。
この場合は、後述するように、個別非選択情報が生成される。
【００５２】
また、操作部１２によって、すべての情報項目を一括して選択しない全非選択の入力操作がされた後に、一覧表示された情報項目のうち、所望の情報項目を個別に選択する入力操作がされた場合、項目選択情報生成部２４が、一覧表示された情報項目について、情報項目ごとに個別に選択または非選択されたことを示す情報を設定した表示項目選択情報と、表示画面に表示されていない情報項目をすべて選択しないことを示す未表示項目情報を生成する。
この場合は、後述するように、個別選択情報が生成される。
【００５３】
また、操作部１２によって、すべての情報項目を一括して選択する全選択の入力操作がされていない状態で、一覧表示された情報項目のうち、所望の情報項目を個別に選択する入力操作がされた場合、項目選択情報生成部２４が、一覧表示された情報項目について情報項目ごとに個別に選択または非選択されたことを示す情報を設定した表示項目選択情報と、表示画面に表示されていない情報項目については選択状態を変更しないことを示す未表示項目情報を生成する。
この場合は、後述するように、所望の情報項目を個別に選択したことを示す個別一部選択情報が生成される。
【００５４】
このように、ユーザの選択操作状況に対応して、各項目を選択または非選択した情報が生成される。
生成される情報には、たとえば、現在表示画面に表示されている情報項目の項目名（KNO）と、その情報項目が選択されているか否かを示す選択有無情報（SF）とからなる表示項目選択情報が含まれ、さらに、現在表示画面に表示されていない情報項目（未表示項目情報）に関する選択有無情報（SF）が含まれる。ただし、送信されるデータ量を減らすために、サーバSVから送信された項目内容は、生成される情報に含めないようにする。
【００５５】
選択項目処理要求部２５は、項目選択情報生成部２４によって生成された表示項目選択情報および未表示項目情報と、選択された情報項目に対する要求処理とを含む項目選択情報を、通信部１４を介して、情報管理装置SVに送信する部分である。
選択された情報項目に対する要求処理には、選択設定処理、選択解除処理、削除処理、詳細内容表示要求処理、条件制限付き表示要求処理、条件制限付き削除処理、情報更新要求処理、電源制御要求処理、ファームウェア更新要求処理、セキュリティ設定検証要求処理などがある。
【００５６】
また、後述するように、表示項目取得部２３が、サーバSVの応答項目生成部１１２によって生成された応答項目情報に含まれる条件制限（フィルタ）に一致する情報項目を取得し、取得した情報項目を一覧表示した後、操作部１２によって、所望の情報項目に対する選択または非選択と、選択された情報項目に対する要求処理が入力された場合には、選択項目処理要求部２５は、条件制限要求情報を、サーバSVに送信する。
すなわち、項目選択情報生成部２４が、所望の情報項目に対する選択または非選択に関する表示項目選択情報と未表示項目情報を生成し、選択項目処理要求部２５が、生成された表示項目選択情報および未表示項目情報と、入力された要求処理と、条件制限とを含む条件制限要求情報を、サーバSVに送信する。
【００５７】
項目削除要求部２６は、選択された情報項目を削除することを要求する情報（削除要求情報）を生成して、通信部１４によって、その削除要求情報をサーバSVに送信する部分である。この項目削除要求は、選択項目処理要求部２５において、選択された情報項目に対する要求処理が、削除要求である場合に相当する。
たとえば、操作部１２に、削除を要求するための削除キーがある場合、ユーザが、削除キーを押し下げる操作をした場合に、削除要求情報が生成され、サーバSVに送信される。
あるいは、表示部１３に、削除を要求するための「削除」の表示がされている場合に、ユーザが、その「削除」の領域を選択する操作をした場合に、削除要求情報が生成され、サーバSVに送信される。
削除要求情報には、後述するように、削除要求を意味する処理要求識別名と、項目名と選択有無情報（SF）とからなる選択内容が含まれる。
【００５８】
項目表示条件制限部２７は、情報項目の一覧表示要求をする場合に、一覧表示する情報項目に条件制限（以下、フィルタと呼ぶ）を付けて、サーバSVに項目一覧要求をする部分である。
また、フィルタ（条件制限）付きの項目一覧要求をした場合において、そのフィルタ（条件制限）に一致する情報項目を取得して一覧表示させた後、一覧表示された情報項目について、所定の処理を要求するための情報（条件制限要求情報）を生成し、サーバSVに送信する。
【００５９】
操作部１２によって、一覧表示を要求する情報項目を限定するための条件制限が入力された場合、フィルタ（条件制限）を含めた項目一覧要求情報が生成され、表示項目要求部２２が、この項目一覧要求情報をサーバSVに送信する。
サーバSVが、フィルタ（条件制限）付きの項目一覧要求を受信した場合、サーバSVは、サーバに記憶されている情報項目から、フィルタ（条件制限）に一致する対応項目を取得して、応答項目情報として、端末TEに送信する。
【００６０】
フィルタ（条件制限）は、一覧表示する項目を絞る条件であり、たとえば、情報項目が、画像形成装置に関するものである場合、現在、故障していて稼働していないことを示すエラー（ER）が、フィルタに該当する。
ユーザが、現在、故障中の画像形成装置の一覧を表示させたい場合、フィルタ（条件制限）として、エラー（ER）を設定入力し、このエラー（ER）を含む項目一覧要求を、サーバSVに送信する。
サーバSVが、エラー（ER）のフィルタ付きの項目一覧要求を受信した場合、サーバSVは、サーバに記憶されている情報項目（画像形成装置）から、エラーが発生している情報項目（画像形成装置）を取得して、応答項目情報として、端末TEに送信する。
【００６１】
フィルタ（条件制限）は、エラー（ER）に限るものではなく、この他に、たとえば、IPアドレス、用紙の残量、トナーの残量、記憶装置の残容量、装置モデル名、シリアル番号、出力数カウンタ、設置場所情報なども、フィルタ（条件制限）として設定してもよい。
【００６２】
記憶部５０は、この発明の情報処理端末TEの各機能を実行するために必要な情報やプログラムを記憶する部分であり、ＲＯＭ、ＲＡＭ、フラッシュメモリなどの半導体記憶素子、ＨＤＤ、ＳＳＤなどの記憶装置、その他の記憶媒体が用いられる。
記憶部５０には、たとえば、表示項目数５１、受信応答項目情報５２、表示項目一覧情報５３、一括選択情報５４、一括非選択情報５５、個別選択情報５６、個別非選択情報５７、個別一部選択情報５８、削除要求情報５９、条件制限要求情報６０などが記憶される。
【００６３】
表示項目数５１は、表示部１３の表示画面に表示することが可能な情報項目の個数である。上記したように、表示項目数算出部２１によって、算出される。表示部の解像度等を変更しない場合は、表示項目数５１は変化しないが、解像度や、文字の大きさを変更した場合は、表示項目数５１も変化する場合があるので、一覧表示要求等をした場合は、表示項目数５１を再計算することが好ましい。
【００６４】
受信応答項目情報５２は、サーバSVから送信されてくる情報項目に関する情報であり、後述する図４（b）に示すように、主として、項目名、項目内容、選択有無情報が含まれる。
【００６５】
表示項目一覧情報５３は、表示部１３の表示画面に表示される情報項目の一覧情報であり、後述する図８（a）に示すように、主として、チェック欄、項目名、項目内容が含まれる。この一覧情報は、サーバSVから送信されてきた受信応答項目情報を利用して作成される。表示される情報項目の個数は、表示項目数ｎに相当する数である。
チェック欄は、各情報項目の選択の有無を入力する欄であり、選択有無情報SFに対応する。このチェック欄には、チェックボックスが表示され、選択された場合は、チェックボックスにチェックマークが表示され、選択されていない場合は、チェックボックスにチェックマークが表示されない。
【００６６】
また、チェック欄には、一覧要求したすべての情報項目についての全選択の有無を入力する欄も設けられる。全選択する場合は、全選択のチェック欄に、所定のチェック入力をする。全選択の入力をした場合は、後述する図８（b）に示すように、全選択のチェックボックスに加えて、すべての項目のチェック欄のチェックボックスにも、チェックマークが表示される。
ここで、全選択のチェック欄を選択する入力をした場合は、現在表示画面に表示されている表示項目数の情報項目だけでなく、表示画面に表示されていない残りのすべての情報項目（以下、未表示項目と呼ぶ）も選択することを意味するものとする。
【００６７】
一括選択情報５４は、端末TEにおいて全選択の入力操作をした場合に、端末TEからサーバSVに送信される情報である。
図５（a）に、一括選択情報５４の一実施例を示す。
一括選択情報５４は、たとえば、処理要求識別名と、選択内容とからなる。
処理要求識別名には、一括選択要求を示す情報（たとえば、SEL01）が設定される。
選択内容には、現在表示画面に表示されているｎ個の情報項目に対応する項目名KNOと選択有無情報SFとが対応づけて設定される。
この対応づけられたｎ個の項目名KNOと選択有無情報SFを、表示項目選択情報と呼ぶ。
端末TEにおいて全選択の入力操作がされているので、すべての表示項目選択情報の選択有無情報SFには、「選択」を意味する「１」が設定される。
また、選択内容には、未表示項目情報が含まれ、未表示項目も含む全選択の入力操作がされたので、未表示項目情報として、「未表示項目全選択」を意味する情報（たとえば、１）が設定される。
【００６８】
一括非選択情報５５は、端末TEにおいて全非選択の入力操作をした場合に、端末TEからサーバSVに送信される情報である。
図５（b）に、一括非選択情報５５の一実施例を示す。
一括非選択情報５５も、たとえば、処理要求識別名と、選択内容とからなる。
処理要求識別名には、一括非選択要求を示す情報（たとえば、SEL02）が設定される。
選択内容には、現在表示画面に表示されているｎ個の情報項目に対応する項目名KNOと選択有無情報SFとからなる表示項目選択情報が、設定される。
端末TEにおいて全非選択の入力操作がされているので、すべての表示項目選択情報の選択有無情報SFには、「非選択」を意味する「０」が設定される。
また、選択内容には、未表示項目情報が含まれ、未表示項目も含む全非選択の入力操作がされたので、未表示項目情報として、「未表示項目全非選択」を意味する情報（たとえば、２）が設定される。
【００６９】
個別選択情報５６は、端末TEにおいて全非選択の入力操作をした後、現在表示画面に表示されているｎ個の情報項目のそれぞれについて、個別に、選択入力をした場合に、端末TEからサーバSVに送信される情報である。
図６（b）に、個別選択情報５６の一実施例を示す。
個別選択情報５６も、たとえば、処理要求識別名と、選択内容とからなり、処理要求識別名には、個別選択要求を示す情報（たとえば、SEL04）が設定される。
選択内容には、現在表示画面に表示されているｎ個の情報項目に対応する項目名KNOと選択有無情報SFとからなる表示項目選択情報が、設定される。
ｎ個の情報項目ごとに選択入力がされるので、選択の入力がされた情報項目に対応する選択有無情報SFには、「選択」を意味する「１」が設定される。
ただし、ｎ個の表示項目選択情報のうち、選択の入力がされていない情報項目に対応する選択有無情報SFには、「非選択」を意味する「０」が設定される。
【００７０】
また、選択内容には、未表示項目情報が含まれ、個別の選択入力がされる前に、全非選択の入力操作がされているので、未表示項目情報として、「未表示項目全非選択」を意味する情報（たとえば、２）が設定される。
すなわち、現在の表示画面に表示されていない情報項目（未表示項目）については、非選択の状態であり、現在の表示画面に表示されている情報項目のうち、個別に選択入力がされた情報項目のみが、選択状態である。
【００７１】
個別非選択情報５７は、端末TEにおいて全選択の入力操作をした後、現在表示画面に表示されているｎ個の情報項目のそれぞれについて、個別に、非選択入力をした場合に、端末TEからサーバSVに送信される情報である。
図６（a）に、個別非選択情報５７の一実施例を示す。
個別非選択情報５７も、たとえば、処理要求識別名と、選択内容とからなり、処理要求識別名には、個別非選択要求を示す情報（たとえば、SEL03）が設定される。
選択内容には、現在表示画面に表示されているｎ個の情報項目に対応する項目名KNOと選択有無情報SFとからなる表示項目選択情報が、設定される。
ｎ個の情報項目ごとに非選択入力がされるので、非選択の入力がされた情報項目に対応する選択有無情報SFには、「非選択」を意味する「０」が設定される。
ただし、ｎ個の表示項目選択情報のうち、非選択の入力がされていない情報項目に対応する選択有無情報SFには、「選択」を意味する「１」が設定される。
【００７２】
また、選択内容には、未表示項目情報が含まれ、個別の選択入力がされる前に、全選択の入力操作がされているので、未表示項目情報として、「未表示項目全選択」を意味する情報（たとえば、１）が設定される。
すなわち、現在の表示画面に表示されていない情報項目（未表示項目）については、選択の状態であり、現在の表示画面に表示されている情報項目のうち、個別に非選択入力がされた情報項目のみが、非選択状態である。
【００７３】
個別一部選択情報５８は、端末TEにおいて全選択の入力操作をしない状態で、現在表示画面に表示されているｎ個の情報項目のそれぞれについて、個別に、選択または非選択の入力をした場合に、端末TEからサーバSVに送信される情報である。
図７（a）に、個別一部選択情報５８の一実施例を示す。
個別一部選択情報５８も、たとえば、処理要求識別名と、選択内容とからなり、処理要求識別名には、個別一部選択要求を示す情報（たとえば、SEL05）が設定される。
選択内容には、現在表示画面に表示されているｎ個の情報項目に対応する項目名KNOと選択有無情報SFとからなる表示項目選択情報が、設定される。
ｎ個の表示項目選択情報のうち、個別に、選択の入力がされた情報項目に対応する選択有無情報SFには、「選択」を意味する「１」が設定され、非選択の入力がされた情報項目に対応する選択有無情報SFには、「非選択」を意味する「０」が設定される。
【００７４】
また、選択内容には、未表示項目情報が含まれ、個別の選択入力がされる前には、全選択も全非選択も入力されていないので、未表示項目情報として、「未表示項目変更無し」を意味する情報（たとえば、９）が設定される。
すなわち、現在の表示画面に表示されていない情報項目（未表示項目）については、選択の状態には変更がなく、現在の表示画面に表示されている情報項目のうち、個別に選択または非選択入力がされた情報項目のみについて、選択状態が変更される。
【００７５】
削除要求情報５９は、一覧要求をした情報項目のうち、現在選択されている情報項目に対して、削除要求を意味する入力操作をした場合に、端末TEからサーバSVに送信される情報である。
また、削除要求情報５９は、端末TEにおいて、全選択、全非選択、個別選択、個別非選択などの入力にかかわらず、現在選択されている情報項目を削除することを、サーバSVに要求するための情報である。
【００７６】
図７（b）に、削除要求情報５９の一実施例を示す。
削除要求情報５９も、たとえば、処理要求識別名と、選択内容とからなり、処理要求識別名には、削除要求を示す情報（たとえば、DEL10）が設定される。
選択内容には、現在表示画面に表示されているｎ個の情報項目に対応する項目名KNOと選択有無情報SFとからなる表示項目選択情報が、設定される。
ｎ個の表示項目選択情報のうち、個別に、選択の入力がされた情報項目に対応する選択有無情報SFには、「選択」を意味する「１」が設定され、非選択の入力がされた情報項目に対応する選択有無情報SFには、「非選択」を意味する「０」が設定される。
【００７７】
また、選択内容には、未表示項目情報が含まれ、個別の選択入力がされる前に、全選択の入力操作がされている場合は、図７（b）のように、未表示項目情報として、「未表示項目全選択」を意味する情報（たとえば、１）が設定される。
図７（b）の削除要求情報５９がサーバSVに受信された場合、ｎ個の表示項目選択情報のうち、「選択」を意味する「１」が設定されている情報項目の削除が行われ、さらに、未表示項目のすべての情報項目も削除される。
【００７８】
ただし、個別の選択入力がされる前に、全選択の入力操作がされていない場合は、未表示項目情報として、未表示項目は選択しないことを意味する情報（たとえば、０）が設定される。この場合は、未表示項目は、削除されない。
【００７９】
条件制限要求情報６０は、フィルタ（条件制限）付きの一覧要求をした場合において、現在表示画面に表示されているフィルタ（条件制限）に一致する情報項目に対して、所定の処理を実行することを要求する入力操作をした場合に、端末TEからサーバSVに送信される情報である。
たとえば、現在選択されている情報項目に対して、削除要求を意味する入力操作をした場合に、削除要求を意味することを含めた条件制限要求情報が、端末TEからサーバSVに送信される。
フィルタ（条件制限）付きの削除要求をする場合は、上記の削除要求情報と同様に、端末TEにおいて、全選択、全非選択、個別選択、個別非選択などの入力にかかわらず、現在選択されている情報項目を削除することを、サーバSVに要求する。
【００８０】
図２０（e）に、条件制限要求情報６０の一実施例を示す。
ここでは、現在表示画面に表示されているフィルタ（条件制限）に一致する情報項目に対して、削除要求をする場合の情報を示している。
条件制限要求情報６０は、たとえば、処理要求識別名と、一覧要求条件と、選択内容とからなる。図２０（e）の場合は、処理要求識別名には、削除要求を示す情報（たとえば、DEL12）が設定される。
【００８１】
選択内容には、現在表示画面に表示されているｎ個の情報項目に対応する項目名KNOと選択有無情報SFとからなる表示項目選択情報が、設定される。
図２０（e）の場合は、全選択の入力がされた場合を示しているので、ｎ個の表示項目選択情報のすべての選択有無情報SFには、「選択」を意味する「１」が設定されている。
ただし、情報項目の個別選択がされた場合は、選択の入力がされた情報項目に対応する選択有無情報SFには、「選択」を意味する「１」が設定され、非選択の入力がされた情報項目に対応する選択有無情報SFには、「非選択」を意味する「０」が設定される。
【００８２】
また、選択内容には、未表示項目情報が含まれ、全選択の入力操作がされている場合は、図２０（e）のように、未表示項目情報として、「未表示項目全選択」を意味する情報（たとえば、１）が設定される。
図２０（e）の削除要求を含む条件制限要求情報６０がサーバSVに受信された場合は、ｎ個の表示項目選択情報だけでなく、未表示項目のすべての情報項目も削除される。
【００８３】
＜情報管理装置の構成＞
図２に、この発明の情報管理装置の一実施例の構成ブロック図を示す。
情報管理装置（ＳＶ）２は、多数の情報を記憶し管理するサーバに相当し、情報処理端末TEからの要求に応じて、ネットワーク３を介して、上記のように、所定数の情報項目を端末TEに送信する。
情報管理装置（ＳＶ）で管理される情報は、記憶部１５０の管理項目情報１５１に記憶されているものとする。
【００８４】
図２において、この発明の情報管理装置（ＳＶ）２は、主として、制御部１０１、操作部１０２、表示部１０３、通信部１０４、項目取得要求処理部１１１、応答項目生成部１１２、項目選択情報取得部１１３、未表示項目処理部１１４、選択有無更新部１１５、要求処理実行部１１６、項目削除処理部１１７、表示条件制限処理部１１８、記憶部１５０を備える。
【００８５】
情報管理装置SVの制御部１０１は、操作部や応答項目生成部などの各構成要素の動作を制御する部分であり、上記した第二制御部に相当する。
主として、ＣＰＵ、ＲＯＭ、ＲＡＭ、Ｉ／Ｏコントローラ、タイマー等からなるマイクロコンピュータによって実現される。
ＣＰＵは、ＲＯＭ等に予め格納された制御プログラムに基づいて、各種ハードウェアを有機的に動作させて、この発明の通信機能、応答項目生成機能などを実行する。
たとえば、応答項目生成部１１２によって生成された応答項目情報を、通信部１０４を介して、端末TEに送信する。
また、上記構成要素のうち、項目取得要求処理部１１１から表示条件制限処理部１１８までは、ＣＰＵが、所定のプログラムに基づいてそれぞれの処理を実行する機能ブロックである。
【００８６】
操作部１０２は、情報管理装置SVの利用者が所定の入力操作をするための入力装置である。
たとえば、文字などの情報の入力や、機能の選択入力をする部分であり、キーボード、マウス、タッチパネルなどが用いられる。
【００８７】
表示部１０３は、情報を表示する部分であり、各機能の実行に必要な情報や、機能の実行の結果などを、利用者に知らせるために表示する。たとえば、LCD、有機ELディスプレイなどが用いられ、操作部１０２としてタッチパネルが用いられる場合は、表示部とタッチパネルとが重ね合わせて配置される。
表示部１０３には、たとえば、情報管理装置SVの所定の機能を実行するのに必要な情報、選択された情報項目の詳細内容などが、文字、記号、画像、アイコン等を用いて、表示される。
【００８８】
通信部１０４は、上記した第二通信部に相当し、ＬＡＮ等のネットワークを介して、情報処理端末TEや、他の情報通信機器と通信をする部分である。たとえば、ネットワークに接続された情報処理端末TEから要求された情報項目を、その要求をしてきた情報処理端末TEに送信する。
また、情報処理端末TEから、項目一覧要求、所定の選択要求、削除要求などを受信する。
【００８９】
項目取得要求処理部１１１は、情報処理端末TEから送信される所定の情報項目の取得要求を処理する部分である。
たとえば、情報処理端末TEから送信される項目一覧要求情報を受信した場合、その項目一覧要求情報に基づいて、表示項目数に相当する個数の情報項目を、サーバSVの記憶部１５０に記憶された管理項目情報１５１の中から取得する処理を行う。
【００９０】
応答項目生成部１１２は、情報処理端末TEからの要求に対応して、項目取得要求処理部１１１によって取得された表示項目数に相当する個数の情報項目を含む応答項目情報を生成する部分である。
たとえば、表示項目数ｎを含む項目一覧要求を受信した場合、記憶部の管理項目情報１５１から探し出した情報項目のうち、表示項目数ｎに相当する個数の情報項目の項目名や項目内容を含む応答項目情報を生成する。
【００９１】
また、端末TEの操作部１２によって、一覧表示を要求する情報項目を限定するための条件制限が入力された場合、上記のように、表示項目要求部２２が、条件制限を含めた項目一覧要求情報を、情報管理装置SVに送信する。
この場合、情報管理装置SVの項目取得要求処理部１１１が、端末TEから送信された項目一覧要求情報に基づいて、管理項目情報１５１から、項目一覧要求情報に含まれる条件制限に一致する情報項目を取得して、応答項目生成部１１２が、取得された条件制限に一致する情報項目のうち、表示項目数ｎに相当する個数の情報項目を含む応答項目情報を生成する。
【００９２】
項目選択情報取得部１１３は、情報処理端末TEから送信された項目選択情報（たとえば、一括選択情報、個別非選択情報、削除要求情報など）に含まれている表示項目選択情報を取得する部分である。
取得される表示項目選択情報には、上記したように、情報処理端末TEで現在表示されている情報項目についての項目名と、その項目名に対応づけられた選択有無情報SFとが含まれているので、この取得した選択有無情報SFに基づいて、対応する情報項目の選択の有無が更新される。あるいは、選択有無情報SFの選択または非選択に基づいて、対応する情報項目の削除処理が行われる。
【００９３】
未表示項目処理部１１４は、情報処理端末TEから送信された項目選択情報（たとえば、一括選択情報、個別非選択情報、削除要求情報など）に含まれている未表示項目情報を取得して、未表示の項目に対して所定の処理をする部分である。
たとえば、取得された未表示項目情報に、全選択を意味する情報が設定されていた場合は、情報処理端末TEで現在表示されていないすべての情報項目について、現在の選択または非選択の状態を示す情報を、選択状態に変更する。
【００９４】
逆に、未表示項目情報に、全非選択を意味する情報が設定されていた場合は、情報処理端末TEで現在表示されていないすべての情報項目について、現在の選択または非選択の状態を示す情報を、非選択状態に変更する。
あるいは、削除要求を受信し、その削除要求の未表示項目情報に、全選択を意味する情報が設定されていた場合は、情報処理端末TEで現在表示されていないすべての情報項目を削除する。
【００９５】
選択有無更新部１１５は、項目選択情報取得部１１３によって取得された表示項目選択情報に基づいて、記憶部１５０の管理項目情報１５１に記憶されている表示項目選択情報に対応する情報項目の選択の有無の情報を更新し、未表示項目処理部１１４によって取得された未表示項目情報に基づいて、記憶部１５０の管理項目情報１５１に記憶されている表示されていない情報項目（情報処理端末TEで現在表示されていないすべての情報項目）の選択の有無の情報を更新する部分である。
選択の有無の情報は、選択有無情報SFに相当し、記憶部１５０に記憶されている管理項目情報１５１の各情報項目と対応付けて記憶されるものとする。
【００９６】
要求処理実行部１１６は、選択有無更新部１１５によって更新された後の管理項目情報に含まれる情報項目のうち、選択状態にある情報項目に対して、情報処理端末TEによって要求された処理を実行する部分である。
たとえば、情報処理端末TEからの選択された情報項目に対する要求処理が、削除要求である場合、要求処理実行部１１６が、更新後の管理項目情報に含まれる情報項目のうち、選択状態にある情報項目を、管理項目情報から削除する処理を実行する。
【００９７】
項目削除処理部１１７は、情報処理端末TEから送信された選択情報の処理要求が、削除要求である場合に、選択された情報項目を削除する部分である。
削除する情報項目は、受信された削除要求情報に含まれる表示項目選択情報の選択有無情報SFにおいて、選択状態（SF=1）に設定されている情報項目と、受信された削除要求情報に含まれる未表示項目情報に、「未表示項目全選択」が設定されていた場合の未表示項目である。
【００９８】
なお、情報処理端末TEから送信される処理要求として、削除以外の処理が要求された場合も、受信されたその処理要求情報に含まれる表示項目選択情報の選択有無情報SFにおいて、選択状態（SF=1）に設定されている情報項目と、受信された処理要求情報に含まれる未表示項目情報に「未表示項目全選択」が設定されていた場合の未表示項目について、要求された処理が実行される。
非選択状態（SF=0）に設定されている情報項目については、要求された処理は実行されず、さらに、未表示項目情報に「未表示項目全非選択」が設定されていた場合の未表示項目についても、要求された処理は実行されない。
【００９９】
表示条件制限処理部１１８は、情報処理端末TEから送信された条件制限要求情報の処理要求が、フィルタ（条件制限）付きの要求である場合に、選択された情報項目に対して要求された処理を実行する部分である。
受信された条件制限要求情報に含まれる一覧要求条件に一致する情報項目であって、受信された条件制限要求情報に含まれる表示項目選択情報の選択有無情報SFにおいて、選択状態（SF=1）に設定されている情報項目と、受信された処理要求情報に含まれる未表示項目情報に「未表示項目全選択」が設定されていた場合の未表示項目について、要求された処理が実行される。
【０１００】
たとえば、要求される処理が削除である場合は、フィルタ（条件制限）に一致する情報項目のうち、受信された削除要求において選択されている情報項目が削除される。
また、受信された削除要求情報に含まれる未表示項目情報に「未表示項目全選択」が設定されていた場合は、フィルタ（条件制限）に一致する情報項目のうち、すべての未表示項目について、削除処理が実行される。
【０１０１】
ここでの処理においても、フィルタ（条件制限）に一致する情報項目であっても、非選択状態（SF=0）に設定されている情報項目については、要求された処理は実行されず、さらに、未表示項目情報に「未表示項目全非選択」が設定されていた場合の未表示項目についても、要求された処理は実行されない。
【０１０２】
記憶部１５０は、この発明の情報管理装置（サーバ）SVの各機能を実行するために必要な情報やプログラムを記憶する部分であり、ＲＯＭ、ＲＡＭ、フラッシュメモリなどの半導体記憶素子、ＨＤＤ、ＳＳＤなどの記憶装置、その他の記憶媒体が用いられる。
記憶部１５０には、たとえば、管理項目情報１５１、受信表示項目数１５２、応答項目情報１５３、表示項目選択情報１５４、未表示項目情報１５５などが記憶される。
【０１０３】
管理項目情報（KDB）１５１は、予め記憶された複数の情報項目からなり、サーバSVで管理される情報である。
端末TEからの一覧要求が受信された場合には、管理項目情報１５１内の情報から、一覧要求された情報項目を探し出す。
管理される各情報には、それぞれ、項目名が付与され、項目名とその情報の項目内容とが対応付けて記憶されているものとする。
【０１０４】
図３に、サーバSVに記憶される管理項目情報（KDB）１５１の一実施例の説明図を示す。
図３（a）に、初期状態の管理項目情報（KDB）１５１の一実施例を示す。
図３（a）では、１００個の情報項目からなるものを示しているが、管理項目数は１００に限るものではなく、数千、数万という情報が記憶される場合もある。
ここで、初期状態とは、まだ、情報項目の選択が一度も行われたことが無い状態を意味する。
図３（a）において、管理項目情報（KDB）１５１は、項目名KNOと、項目内容CNTと、選択有無情報SFとが対応付けて記憶されたものを示している。
たたし、これ以外の情報を付加してもよい。たとえば、情報項目が、多数のユーザによって選択される可能性がある場合は、現在情報項目を選択している端末TEの情報や、現在選択しているユーザ名も、対応付けて記憶してもよい。
【０１０５】
選択有無情報SFは、その項目が現在選択されている状態であるか、あるいは、選択されていない状態であるかを示す情報である。
情報項目が現在選択されていない場合は、選択有無情報SFに、非選択を意味する０が設定され、情報項目が現在選択されている場合は、選択有無情報SFに、選択を意味する１が設定されるものとする。
【０１０６】
たとえば、図３（a）において、項目名KNOがMFP001の情報項目は、項目内容CNTがMCNT001という名称のファイルであり、対応する選択有無情報SFがゼロ（SF=0）なので、情報項目MFP001は、現在選択されていない状態であることを意味する。
図３（a）では、初期状態の管理項目情報KDBを示しているので、全ての情報項目は、現在選択されていない状態であり、すべての選択有無情報SFには、初期値として、０が設定記憶されている。
【０１０７】
図３（b）に、情報項目を全選択した後の管理項目情報（KDB）１５１の一実施例を示す。
たとえば、端末TEにおいて、すべての情報項目を選択した場合、すべての情報項目を選択したことを示す情報が、端末TEからサーバSVに送信されるので、管理項目情報KDBのすべての情報項目の選択有無情報SFに、選択を意味する１が設定記憶される。
【０１０８】
受信表示項目数１５２は、端末TEから送信される項目一覧要求情報に含まれる表示項目数ｎである。
図４（a）に、端末TEから送信される項目一覧要求情報の一実施例を示す。
項目一覧要求情報は、端末TEからサーバSVに対して、情報項目を送信することを要求する情報であり、一覧要求であることを意味する処理要求識別名（たとえば、REQ01）と、表示項目数ｎとからなる。
サーバSVでは、項目一覧要求を受信すると、この受信表示項目数ｎを利用して、端末TEに返信する情報項目の項目数を決定し、以下の応答項目情報１５３を生成する。
【０１０９】
応答項目情報１５３は、端末TEから要求された項目一覧要求に対して、端末TEに返信する情報である。
図４（b）に、応答項目情報１５３の一実施例を示す。
応答項目情報１５３は、一覧要求応答であることを意味する応答識別名（たとえば、ANS01）と、応答項目とからなる。
応答項目情報１５３の応答項目には、たとえば、項目名KNO、項目内容CNT、選択有無情報SFが含まれる。
受信された項目一覧要求情報の受信表示項目数ｎが、１０であった場合、図４（b）に示すように、１０個の情報項目からなる応答項目情報１５３が生成され、端末TEに返信される。１つの情報項目は、たとえば、MFP001という項目名と、MCNT001というファイルからなる項目内容と、選択有無情報SFからなる。情報項目が現在選択されていない場合は、選択有無情報SFに、０が設定される。
【０１１０】
表示項目選択情報１５４は、端末TEの表示画面に現在表示されている情報項目に関する情報である。
上記したように、表示項目選択情報１５４は、端末TEの表示画面に現在表示されている情報項目について、対応付けられた項目名KNOと選択有無情報SFとからなる。
端末TEから送信される情報に表示項目選択情報が含まれている場合、サーバSVに記憶されている管理項目情報KDBにおいて、表示項目選択情報の選択有無情報SFに基づいて、対応する情報項目の選択有無情報SFが更新される。
【０１１１】
未表示項目情報１５５は、端末TEの表示画面に現在表示されていない情報項目に関する情報である。
未表示項目情報１５５には、選択有無情報SFが含まれている。
端末TEから送信される情報に未表示項目情報が含まれている場合、サーバSVに記憶されている管理項目情報KDBにおいて、未表示項目情報の選択有無情報SFに基づいて、端末TEの表示画面に現在表示されていない情報項目についての選択有無情報SFが更新される。
たとえば、未表示項目情報の選択有無情報SFが、非選択を意味するゼロであった場合、TEの表示画面に現在表示されていないすべての情報項目について、選択有無情報SFがゼロに更新される。
また、未表示項目情報の選択有無情報SFが、選択を意味する１であった場合、TEの表示画面に現在表示されていないすべての情報項目について、選択有無情報SFが１に更新される。
【０１１２】
＜情報処理端末における情報項目の一覧表示＞
以下に、情報処理端末TEにおいて、表示される情報項目の一覧表示の一実施例について、説明する。
図８、図９、図１０に、情報処理端末で表示される情報の一実施例の説明図を示す。
情報処理端末TEの表示部１３の表示画面に、複数の情報項目を一覧表示させる場合、情報項目ごとの項目名と項目内容を表示し、さらに、チェックボックスを含むチェック欄を表示するものとする。
【０１１３】
すなわち、表示項目取得部２３によって取得された情報項目を表示部１３の表示画面に一覧表示させる場合、一覧表示された情報項目に対応付けて、一覧表示された各情報項目が個別に選択または非選択されたことを示すチェックボックスと、一覧表示されたすべての情報項目および表示されていないすべての情報項目が一括して選択または非選択されたことを示すチェックボックスを、一覧表示された表示画面に表示させる。
【０１１４】
図８（a）に、、端末TEにおいて、サーバSVに項目一覧要求をした後、サーバSVから受信した受信応答項目情報５２に含まれる情報項目を一覧表示した一実施例を示す。
ここでは、表示項目数ｎが１０で、全選択がされていない場合を示している。
受信した受信応答項目情報５２に含まれる情報項目ごとに、項目名（MFP001からMFP010）と、項目名に対応する項目内容（MCNT001からMCNT010）が表示され、さらに、各項目名の左に、チェックボックスを含むチェック欄が表示されている。
この各項目名の左にあるチェックボックスは、一覧表示された情報項目のうち、所望の情報項目を、個別に選択または非選択させるためのチェックボックスである。
【０１１５】
また、情報項目のすべてを選択するための全選択用のチェックボックスを含むチェック欄も表示されている。
全選択用のチェックボックスは、一覧表示された情報項目と、表示されていない情報項目を、一括して選択または非選択させるためのチェックボックスである。
【０１１６】
図８（a）では、項目内容は、単に、MCNT001などと示しているが、実際には、複数の項目内容が有る場合は、それらの項目内容が対応する行に表示される。
たとえば、項目内容が画像形成装置に関するものである場合、画像形成装置のIPアドレス、動作状態、用紙の有無、トナーの有無、記憶装置の残容量容量などが、情報項目ごとに、表示される。
【０１１７】
なお、受信した情報項目の個数が、表示項目数ｎと同じであれば、すべての受信した情報項目が、１つの表示画面に表示されるので、ユーザは、スクロール操作等をする必要はなく、ユーザの操作負担が軽減される。
ただし、現在表示画面に表示されているｎ個の情報項目とは異なる他の情報項目を表示させたい場合は、表示項目数ｎに相当する個数の別の情報項目を一覧表示するための入力操作と、次の表示項目数ｎの情報項目に対する一覧要求を、サーバSVに送信する必要がある。
【０１１８】
たとえば、ユーザは、次のｎ個の情報項目の一覧表示を要求することを意味する切替要求キーを入力操作する。
この切替要求キーの入力操作がされた場合、次の表示項目数ｎの情報項目に対する一覧要求を、サーバSVに送信する。
サーバSVが、この一覧要求を受信すると、管理項目情報１５１から、表示項目数ｎに相当する個数の異なる情報項目を取得し、端末TEに送信する。
この場合も、表示項目数ｎに相当する個数の情報項目からなる応答項目情報を、端末TEに送信すればよく、データ通信量は、表示項目数ｎの情報項目を送信するだけの通信量に限定される。
端末TEが、表示項目数ｎに相当する個数の異なる情報項目を受信すると、この表示項目数ｎに相当する個数の異なる情報項目を、追加項目として記憶し、表示画面に表示する。
追加項目を受信した後は、所定の切替操作やスクロール操作をすることにより、表示画面に表示させるｎ個の情報項目を切り替えればよい。
【０１１９】
図８（b）に、端末TEにおいて、図８（a）のような一覧表示がされた後、ユーザが、全選択入力をした場合の一覧表示の一実施例を示す。
ここでも、表示項目数ｎが１０の場合を示している。
ユーザは、全選択入力をする場合、情報項目のすべてを選択するための全選択用のチェックボックスにチェックを入れる。
全選択用のチェックボックスにチェックが入力された場合、制御部１１によって、現在表示されているすべて（１０個）の情報項目のチェックボックスにも、自動的に、チェックを入れるようにする。
また、全選択入力をした後、選択を意味する実行キーが入力されると、図５（a）のような全選択に相当する情報（一括選択情報）が生成され、一括選択要求（SEL01）が、サーバSVに送信される。
【０１２０】
図９（a）に、端末TEにおいて、図８（b）のように、ユーザが、全選択入力をした後に、全非選択をした場合の一覧表示の一実施例を示す。
ここでも、表示項目数ｎが１０の場合を示している。
ユーザが全非選択入力をする場合、情報項目のすべてを選択するための全選択用のチェックボックスにあったチェックをはずす操作をする。
全選択用のチェックボックスのチェックがはずされた場合、制御部１１によって、現在表示されているすべて（１０個）の情報項目のチェックボックスも、自動的に、チェックがはずされる。これにより、一覧表示は、図８（a）と同じ表示になる。
また、全非選択入力をした後、選択を意味する実行キーが入力されると、図５（b）のような全非選択に相当する情報（一括非選択情報）が生成され、一括非選択要求（SEL02）が、サーバSVに送信される。
【０１２１】
図９（b）に、端末TEにおいて、図８（b）のように、ユーザが、全選択入力をした後に、現在表示されている情報項目のうち、指定した項目を個別に非選択にした場合の一覧表示の一実施例を示す。
ここでも、表示項目数ｎが１０の場合を示している。
ユーザは、情報項目を個別に非選択にしたい場合、所望の情報項目のチェックボックスにあったチェックをはずす入力をする。
ただし、全選択入力は有効なので、全選択用のチェックボックスには、チェックが入ったままである。
【０１２２】
図９（b）では、項目名MFP002とMFP003の情報項目について、非選択入力がされ、その情報項目のチェックボックスにあったチェックがはずされた状態を示している。
また、上記のような個別の非選択入力をした後、選択を意味する実行キーが入力されると、図６（a）のような個別非選択に相当する情報（個別非選択情報）が生成され、個別非選択要求（SEL03）が、サーバSVに送信される。
【０１２３】
図１０（a）に、端末TEにおいて、図９（a）のように、ユーザが、全非選択入力をした後に、現在表示されている情報項目のうち、指定した項目を個別に選択した場合の一覧表示の一実施例を示す。
ここでも、表示項目数ｎが１０の場合を示している。
ユーザは、情報項目を個別に選択にしたい場合、所望の情報項目のチェックボックスにチェックを入れる。
ただし、全非選択入力を有効にする場合、全選択用のチェックボックスには、チェックがはずされたままである。
【０１２４】
図１０（a）では、項目名MFP001とMFP003の情報項目について、選択入力がされ、その情報項目のチェックボックスにチェックを入れた状態を示している。
また、上記のような個別の選択入力をした後、選択を意味する実行キーが入力されると、図６（b）のような個別選択に相当する情報（個別選択情報）が生成され、個別選択要求（SEL04）が、サーバSVに送信される。
【０１２５】
図１０（b）に、端末TEにおいて、図８（a）のように、ユーザが、全選択入力をしない情報で、現在表示されている情報項目のうち、指定した項目を個別に選択した場合の一覧表示の一実施例を示す。
ここでも、表示項目数ｎが１０の場合を示している。
ユーザは、情報項目を個別に選択にしたい場合、所望の情報項目のチェックボックスにチェックを入れる。
ただし、全選択入力をしないので、全選択用のチェックボックスには、チェックがはずされたままとする。
【０１２６】
図１０（b）では、項目名MFP002とMFP009の情報項目について、選択入力がされ、その情報項目のチェックボックスにチェックを入れた状態を示している。
また、上記のような個別の選択入力をした後、選択を意味する実行キーが入力されると、図７（a）のような個別選択に相当する情報（個別一部選択情報）が生成され、個別一部選択要求（SEL05）が、サーバSVに送信される。
【０１２７】
＜実施例１：項目一覧要求送信と応答項目情報受信のシーケンス＞
図１１に、情報処理端末と情報管理装置との間における項目一覧要求送信と応答項目情報受信のシーケンスの一実施例の説明図を示す。
ここでは、端末TEにおいて、ユーザが、項目一覧表示要求を意味する入力操作をした後に、端末TEからサーバSVに、項目一覧要求REQ01を送信し、その返信として、サーバSVから端末TEに応答項目情報ANS01を送信する場合について説明する。
【０１２８】
図１１のステップT1において、ユーザが、端末TEの操作部１２によって、項目一覧表示要求を意味する入力操作をする。
たとえば、ユーザが、端末TEの表示部１３に、所定の処理要求を選択することの可能な画面を表示させ、その中から、項目一覧表示要求を選択する操作をする。
【０１２９】
制御部１１が、この項目一覧表示要求の入力操作がされたことを確認すると、表示項目数算出部２１に、表示部１３の表示画面に情報項目の一覧表示をするときに表示可能な項目数を計算させる。
ステップT2において、端末TEの表示項目数算出部２１が、現在の表示画面の解像度や文字の大きさの設定情報を利用して、表示項目数ｎを算出する。
たとえば、１つの表示画面に一覧表示できる情報項目の数が、１０である場合、表示項目数ｎに１０を記憶する。
【０１３０】
ステップT3において、表示項目要求部２２が、項目一覧要求を、サーバＳＶに送信する。ここでは、たとえば、図４（a）に示したような項目一覧要求情報を生成し、表示項目数ｎ（ｎ＝１０）を含む項目一覧要求REQ001を送信する。
【０１３１】
ステップS1において、サーバSVの通信部１０４が、項目一覧要求REQ001を受信する。
ステップS2において、サーバSVの項目取得要求処理部１１１が、受信した項目一覧要求情報に含まれる表示項目数ｎを取得する。
ステップS3において、項目取得要求処理部１１１が、記憶部１５０に記憶されている管理項目情報１５１の中から、表示項目数ｎに相当する個数（ｎ個）の管理情報項目を取得する。
ステップS4において、応答項目生成部１１２が、取得したｎ個の管理情報項目を含む応答項目情報を生成する。
【０１３２】
ステップS5において、生成した応答項目情報を含む一覧要求応答ANS01を、一覧要求をしてきた端末TEに送信する。
表示項目数ｎが１０の場合、図４（b）に示したような１０個の応答項目からなる一覧要求応答ANS01が、端末TEに送信される。
管理項目情報１５１に、非常に多数の情報項目が存在する場合でも、端末TEに送信される情報項目の数は、表示項目数ｎに相当する個数に制限される。
【０１３３】
ステップT4において、端末TEの通信部１４が、応答項目情報を受信する。
ステップT5において、表示項目取得部２３が、受信したｎ個の応答項目情報を取得し、記憶部５０に、受信応答項目情報５２として記憶する。
たとえば、図４（b）に示したような１０個の応答項目が記憶される。
ステップT6において、表示項目取得部２３が、取得したｎ個の情報項目を、表示部１２に、一覧表示する。
たとえば、受信した１０個の応答項目情報のすべての選択有無情報SFが選択無しの場合、図１１に示すように、すべてのチェック欄のチェックボックスにチェックがされていない情報項目の一覧表示がされる。
【０１３４】
上記のように、サーバSVから端末TEに送信される情報項目の数は、表示項目数ｎに相当する個数に制限されるので、データ通信量が削減され、端末TEで項目一覧要求を送信してから、端末TEの表示部１３に一覧表示がされるまでの期間が短縮される。
【０１３５】
＜実施例２：項目一覧の全選択入力をした場合のシーケンス＞
図１２に、情報処理端末において、項目一覧の全選択入力をした場合のシーケンスの一実施例の説明図を示す。
上記したように、情報処理端末において、情報項目の一覧表示がされると、ユーザは、表示されたｎ個の各情報項目の内容を確認し、必要に応じて、所望の情報項目について、個別に、選択入力操作をすることができる。
あるいは、全選択のチェックボタンにチェックを入れることによって、全選択入力をして、ｎ個のすべての情報項目を選択することができる。
ここでは、ユーザが、全選択入力をして、サーバSVに一括選択情報を送信する場合について説明する。
【０１３６】
図１２のステップT11において、ユーザが、端末TEの操作部１２によって、項目一覧の全選択を意味する入力操作をする。
これにより、全選択のチェックボタンにチェックが入れられ、さらに、現在表示されているすべての情報項目のチェックボタンにチェックが入れられ、図８（b）に示したような表示状態となる。
【０１３７】
また、次のようにして、全選択の入力操作に対応して、一括選択情報が生成される。
まず、ステップT12において、項目選択情報生成部２４が、表示画面に現在表示されているｎ個の情報項目について、表示項目選択情報の選択有無情報SFに、選択を意味する１を設定する。
ステップT13において、項目選択情報生成部２４が、表示画面に現在表示されていない項目に関する未表示項目情報の選択有無情報SFに、選択を意味する１を設定する。
ステップT14において、項目選択情報生成部２４が、上記で設定した選択有無情報SFを含む一括選択情報を生成する。
たとえば、表示項目数ｎが１０の場合、図５（a）に示すような一括選択情報が生成される。
ステップT15において、生成された一括選択情報を含む一括選択要求SEL01が、サーバSVに送信される。
【０１３８】
ステップS11において、サーバSVの通信部１０４によって、一括選択要求SEL01が受信される。
ステップS12において、項目選択情報取得部１１３が、受信された一括選択要求SEL01の一括選択情報に含まれる表示項目選択情報を取得する。
ここでは、端末TEで現在表示されているｎ個の情報項目の情報が取得される。
ステップS13において、サーバSVの管理項目情報KDB１５１において、取得された情報項目に対応する項目の選択有無情報SFを、１に更新設定する。
すなわち、管理項目情報KDBに記憶されている情報項目の選択有無情報SFのうち、端末TEで現在表示されているｎ個の情報項目の選択有無情報SFを、１に更新設定する。
【０１３９】
ステップS14において、未表示項目処理部１１４が、受信された一括選択要求SEL01の一括選択情報に含まれる未表示項目情報を取得する。
ステップS15において、サーバSVの管理項目情報KDBにおいて、取得された未表示項目に対応する項目の選択有無情報SFを、１に更新設定する。
すなわち、管理項目情報KDBに記憶されている情報項目の選択有無情報SFのうち、端末TEで現在表示されていない情報項目の選択有無情報SFを、すべて、１に更新設定する。
【０１４０】
たとえば、サーバSVで管理される情報項目が１００個である場合、この一括選択要求SEL01を受信すると、サーバSVの管理項目情報KDBでは、図１２に示すように、１００個のすべての情報項目の選択有無情報SFが、１に設定される。
【０１４１】
＜実施例３：項目一覧の全非選択入力をした場合のシーケンス＞
図１３に、情報処理端末において、項目一覧の全非選択入力をした場合のシーケンスの一実施例の説明図を示す。
ここでは、情報処理端末において情報項目の一覧表示がされている状態で、ユーザが、全非選択入力をして、サーバSVに一括非選択情報を送信する場合について説明する。
図１３のステップT21において、ユーザが、端末TEの操作部１２によって、項目一覧の全非選択を意味する入力操作をする。
これにより、全選択のチェックボタンからチェックがはずされ、さらに、現在表示されているすべての情報項目のチェックボタンからチェックがはずされ、図９（a）に示したような表示状態となる。
【０１４２】
また、次のようにして、全非選択の入力操作に対応して、一括非選択情報が生成される。
まず、ステップT22において、項目選択情報生成部２４が、表示画面に現在表示されているｎ個の情報項目について、表示項目選択情報の選択有無情報SFに、非選択を意味するゼロを設定する。
ステップT23において、項目選択情報生成部２４が、表示画面に現在表示されていない項目に関する未表示項目情報の選択有無情報SFに、未表示項目全非選択を意味する２を設定する。
【０１４３】
ステップT24において、項目選択情報生成部２４が、上記で設定した選択有無情報SFを含む一括非選択情報を生成する。
たとえば、表示項目数ｎが１０の場合、図５（b）に示すような一括非選択情報が生成される。
ステップT25において、生成された一括非選択情報を含む一括非選択要求SEL02が、サーバSVに送信される。
【０１４４】
ステップS21において、サーバSVの通信部１０４によって、一括非選択要求SEL02が受信される。
ステップS22において、項目選択情報取得部１１３が、受信された一括非選択要求SEL02の一括非選択情報に含まれる表示項目選択情報を取得する。
ここでは、端末TEで現在表示されているｎ個の情報項目の情報が取得される。
ステップS23において、サーバSVの管理項目情報KDBにおいて、取得された情報項目に対応する項目の選択有無情報SFを、ゼロに更新設定する。
すなわち、管理項目情報KDBに記憶されている情報項目の選択有無情報SFのうち、端末TEで現在表示されているｎ個の情報項目の選択有無情報SFを、ゼロに更新設定する。
【０１４５】
ステップS24において、未表示項目処理部１１４が、受信された一括非選択要求SEL02の一括非選択情報に含まれる未表示項目情報を取得する。
ステップS25において、サーバSVの管理項目情報KDBにおいて、取得された未表示項目に対応する項目の選択有無情報SFを、ゼロに更新設定する。
すなわち、管理項目情報KDBに記憶されている情報項目の選択有無情報SFのうち、端末TEで現在表示されていない情報項目の選択有無情報SFを、すべて、ゼロに更新設定する。
【０１４６】
たとえば、サーバSVで管理される情報項目が１００個である場合、この一括非選択要求SEL02を受信すると、サーバSVの管理項目情報KDBでは、図１３に示すように、１００個のすべての情報項目の選択有無情報SFが、ゼロに設定される。
【０１４７】
＜実施例４：全選択入力後に、個別非選択入力をした場合のシーケンス＞
図１４に、情報処理端末において、全選択入力後に、個別非選択入力をした場合のシーケンスの一実施例の説明図を示す。
ユーザが、端末TEにおいて、全選択入力をすると、図８（b）に示すように、ｎ個の情報項目すべてが選択されている表示状態となる。また、全選択がチェックされているので、未表示項目も、選択状態である。
【０１４８】
図１４のステップT31において、全選択の表示状態において、ユーザが、個別に、情報項目の非選択入力をする。全選択のチェックボックスは、チェックされたままとする。
すなわち、ユーザが、全選択されている状態の情報項目のうち、所望の情報項目のチェックをはずす入力（非選択入力）をする。
まず、ステップT32において、項目選択情報生成部２４が、表示画面に現在表示されているｎ個の情報項目のうち、ユーザが個別に非選択入力した情報項目についての表示項目選択情報の選択有無情報SFに、非選択を意味するゼロを設定する。
ステップT33において、項目選択情報生成部２４が、表示画面に現在表示されていない項目に関する未表示項目情報の選択有無情報SFに、選択を意味する１を設定する。
【０１４９】
ステップT34において、項目選択情報生成部２４が、上記で設定した選択有無情報SFを含む個別非選択情報を生成する。
たとえば、表示項目数ｎが１０の場合、図６（a）に示すような個別非選択情報が生成される。
ステップT35において、生成された個別非選択情報を含む個別非選択要求SEL03が、サーバSVに送信される。
【０１５０】
ステップS31において、サーバSVの通信部１０４によって、個別非選択要求SEL03が受信される。
ステップS32において、項目選択情報取得部１１３が、受信された個別非選択要求SEL03の個別非選択情報に含まれる表示項目選択情報を取得する。
ここでは、端末TEで現在表示されているｎ個の情報項目の情報が取得される。
ステップS33において、サーバSVの管理項目情報KDBにおいて、取得された表示項目選択情報の各選択有無情報SFを、その情報項目に対応する管理項目情報KDBの項目の選択有無情報SFに、更新設定する。
すなわち、管理項目情報KDBに記憶されている情報項目の選択有無情報SFを、端末TEで現在表示されているｎ個の情報項目の選択有無情報SFと同じ値に、更新設定する。
【０１５１】
ステップS34において、未表示項目処理部１１４が、受信された個別非選択要求SEL03の個別非選択情報に含まれる未表示項目情報を取得する。
ステップS35において、サーバSVの管理項目情報KDBにおいて、取得された未表示項目に対応する項目の選択有無情報SFを、１に更新設定する。
すなわち、管理項目情報KDBに記憶されている情報項目の選択有無情報SFのうち、端末TEで現在表示されていない情報項目の選択有無情報SFを、すべて、１に更新設定する。
【０１５２】
たとえば、サーバSVで管理される情報項目が１００個である場合、全選択入力後に、個別非選択要求SEL03を受信すると、サーバSVの管理項目情報KDBでは、図１４に示すように、１００個の情報項目のうち、個別に非選択入力された情報項目の選択有無情報SFがゼロに設定され、他のすべての情報項目の選択有無情報SFは１に設定された状態となる。
【０１５３】
＜実施例５：全非選択入力後に、個別選択入力をした場合のシーケンス＞
図１５に、情報処理端末において、全非選択入力後に、個別選択入力をした場合のシーケンスの一実施例の説明図を示す。
ユーザが、端末TEにおいて、全非選択入力をすると、図９（a）に示すように、ｎ個の情報項目すべてが非選択されている表示状態となる。また、全非選択がチェックされているので、未表示項目も、非選択状態である。
【０１５４】
図１５のステップT41において、全非選択の表示状態において、ユーザが、個別に、情報項目の選択入力をする。全選択のチェックボックスは、チェックされていない状態のままとする。
すなわち、ユーザが、全非選択されている状態の情報項目のうち、所望の情報項目のチェックボックスにチェックを入れる入力（選択入力）をする。
【０１５５】
ステップT42において、項目選択情報生成部２４が、表示画面に現在表示されているｎ個の情報項目のうち、ユーザが個別に選択入力した情報項目についての表示項目選択情報の選択有無情報SFに、選択を意味する１を設定する。
ステップT43において、項目選択情報生成部２４が、表示画面に現在表示されていない項目に関する未表示項目情報の選択有無情報SFに、未表示項目全非選択を意味する２を設定する。
【０１５６】
ステップT44において、項目選択情報生成部２４が、上記で設定した選択有無情報SFを含む個別選択情報を生成する。
たとえば、表示項目数ｎが１０の場合、図６（b）に示すような個別選択情報が生成される。
ステップT45において、生成された個別選択情報を含む個別選択要求SEL04が、サーバSVに送信される。
【０１５７】
ステップS41において、サーバSVの通信部１０４によって、個別選択要求SEL04が受信される。
ステップS42において、項目選択情報取得部１１３が、受信された個別選択要求SEL04の個別選択情報に含まれる表示項目選択情報を取得する。
ここでは、端末TEで現在表示されているｎ個の情報項目の情報が取得される。
ステップS43において、サーバSVの管理項目情報KDBにおいて、取得された表示項目選択情報の各選択有無情報SFを、その情報項目に対応する管理項目情報KDBの項目の選択有無情報SFに、更新設定する。
すなわち、管理項目情報KDBに記憶されている情報項目の選択有無情報SFを、端末TEで現在表示されているｎ個の情報項目の選択有無情報SFと同じ値に、更新設定する。
【０１５８】
ステップS44において、未表示項目処理部１１４が、受信された個別選択要求SEL04の個別選択情報に含まれる未表示項目情報を取得する。
ステップS45において、サーバSVの管理項目情報KDBにおいて、取得された未表示項目に対応する項目の選択有無情報SFを、ゼロに更新設定する。
すなわち、管理項目情報KDBに記憶されている情報項目の選択有無情報SFのうち、端末TEで現在表示されていない情報項目の選択有無情報SFを、すべて、ゼロに更新設定する。
【０１５９】
たとえば、サーバSVで管理される情報項目が１００個である場合、全非選択入力後に、個別選択要求SEL04を受信すると、サーバSVの管理項目情報KDBでは、図１５に示すように、１００個の情報項目のうち、個別に選択入力された情報項目の選択有無情報SFが１に設定され、他のすべての情報項目の選択有無情報SFはゼロに設定された状態となる。
【０１６０】
＜実施例６：全選択入力をせずに、個別一部選択選択入力をした場合のシーケンス＞
図１６に、情報処理端末において、全選択入力をせずに、個別一部選択入力をした場合のシーケンスの一実施例の説明図を示す。
ユーザが、端末TEにおいて、一覧表示要求をし、サーバSVから送信されてきた項目を一覧表示している状態であるとする。
このとき、全選択も個別選択も入力されていないとすると、図８（a）に示すように、ｎ個の情報項目すべてが選択されていない表示状態で、全選択もチェックされていない状態なので、未表示項目も、非選択状態である。
【０１６１】
図１６のステップT51において、全非選択の表示状態において、ユーザが、個別に、情報項目の一部の項目について、選択入力をする。全選択のチェックボックスは、チェックされていない状態のままとする。
すなわち、ユーザが、現在表示画面に表示されているｎ個の情報項目のうち、所望の情報項目のチェックボックスにチェックを入れる入力（選択入力）をする。
たとえば、図１６に示すように、個別に項目の一部を選択する前の表示が、MFP002のみが選択されている状態であった場合に、ユーザが、MFP003とMFP004を個別に選択する入力をしたとすると、個別に項目一部選択をした後の表示は、３つの情報項目（MFP002、MFP003、MFP004）のチェックボックスにチェックが入れられた状態となる。
【０１６２】
ステップT52において、項目選択情報生成部２４が、表示画面に現在表示されているｎ個の情報項目のうち、ユーザが個別に選択入力した情報項目についての表示項目選択情報の選択有無情報SFに、選択を意味する１を設定する。
ステップT53において、項目選択情報生成部２４が、表示画面に現在表示されていない項目に関する未表示項目情報の選択有無情報SFに、未表示項目には変更が無いことを意味する９（変更無し）を設定する。
【０１６３】
ステップT54において、項目選択情報生成部２４が、上記で設定した選択有無情報SFを含む個別一部選択情報を生成する。
たとえば、表示項目数ｎが１０の場合、図７（a）に示すような個別一部選択情報が生成される。
ステップT55において、生成された個別一部選択情報を含む個別一部選択要求SEL05が、サーバSVに送信される。
【０１６４】
ステップS51において、サーバSVの通信部１０４によって、個別一部選択要求SEL05が受信される。
ステップS52において、項目選択情報取得部１１３が、受信された個別一部選択要求SEL05の個別一部選択情報に含まれる表示項目選択情報を取得する。
ここでは、端末TEで現在表示されているｎ個の情報項目の情報が取得される。
ステップS53において、サーバSVの管理項目情報KDBにおいて、取得された表示項目選択情報の各選択有無情報SFを、その情報項目に対応する管理項目情報KDBの項目の選択有無情報SFに、更新設定する。
すなわち、管理項目情報KDBに記憶されている情報項目の選択有無情報SFを、端末TEで現在表示されているｎ個の情報項目の選択有無情報SFと同じ値に、更新設定する。
【０１６５】
ステップS54において、未表示項目処理部１１４が、受信された個別一部選択要求SEL05の個別一部選択情報に含まれる未表示項目情報を取得する。
取得された未表示項目情報は、９（変更無し）なので、管理項目情報KDBに記憶されている未表示項目に対応する項目の選択有無情報SFは、変更しない。
【０１６６】
たとえば、図１６に示すように、個別項目一部選択前のサーバSVの管理項目情報KDBにおいて、２つの情報項目（MFP002、MFP011）の選択有無情報SFのみが、１（選択）であった場合、図１６に示す個別一部選択情報を受信したとすると、個別項目一部選択後のサーバSVの管理項目情報KDBは、２つの情報項目（MFP003、MFP004）の選択有無情報SFのみが、ゼロから１（選択）に更新されるが、端末TEの現在の表示画面に表示されていないMFP011からMFP100までの選択有無情報SFは、変更されない。
【０１６７】
＜実施例７：項目削除入力をした場合のシーケンス＞
図１７に、情報処理端末において、削除要求入力をする場合に表示される項目情報の一実施例の説明図を示す。
図１７（a）は、ユーザが、全選択入力をし、さらに、指定項目について個別の選択入力をした後に、削除要求入力をした場合の情報項目の表示例を示している。
すなわち、図１７（a）において、全選択のチェックボックスにチェックが入っているが、
２つの情報項目（MFP001、MFP003）の選択を残し、この２つの情報項目以外の項目について、チェックボックスのチェックをはずした状態において、削除要求を意味する削除キーを入力する。
この場合、選択されている２つの情報項目（MFP001、MFP003）と、端末TEに現在表示されていないすべての情報項目（未表示項目）について削除要求する情報が生成され、サーバSVに送信される。
【０１６８】
図１７（b）は、ユーザが、全選択入力をしない状態で、指定項目について個別の選択入力をした後に、削除要求入力をした場合の情報項目の表示例を示している。
すなわち、図１７（b）において、全選択のチェックボックスにはチェックが入っておらず、２つの情報項目（MFP001、MFP002）のチェックボックスにチェックを入れた状態において、削除要求を意味する削除キーを入力する。
この場合、選択されている２つの情報項目（MFP001、MFP002）のみについて削除要求する情報が生成され、サーバSVに送信される。２つの情報項目（MFP001、MFP002）以外の未選択の情報項目と、端末TEに現在表示されていないすべての情報項目（未表示項目）については、削除要求をしない。
【０１６９】
（全選択入力後に、項目削除入力をした場合のシーケンス）
図１８に、情報処理端末において、全選択入力後に、項目削除入力をした場合のシーケンスの一実施例の説明図を示す。
端末TEにおいて、全選択入力がされた一覧表示状態であったとする。
この場合、図１８に示すように、全選択入力後、個別項目非選択前であれば、全選択のチェックボックスと、ｎ個の情報項目の各チェックボックスには、チェックが入った状態である。
【０１７０】
図１８のステップT61において、ユーザが、表示された情報項目について、図１７（a）に示したように、個別の非選択入力をし、さらに、削除要求をするための入力をしたとする。
【０１７１】
ステップT62において、項目選択情報生成部２４が、表示画面に現在表示されているｎ個の情報項目のうち、ユーザが個別に非選択入力した情報項目についての表示項目選択情報の選択有無情報SFに、非選択を意味するゼロを設定する。
その他の表示項目選択情報の選択有無情報SFは、選択を意味する１（選択）のままである。
ステップT63において、項目選択情報生成部２４が、表示画面に現在表示されていない項目に関する未表示項目情報の選択有無情報SFに、選択を意味する１（選択）を設定する。
【０１７２】
ステップT64において、項目削除要求部２６が、上記で設定した選択有無情報SFを含む削除要求情報を生成する。
たとえば、表示項目数ｎが１０の場合、図７（b）や図１８に示すような削除要求情報が生成される。
ステップT65において、生成された削除要求情報を含む削除要求DEL10が、サーバSVに送信される。
【０１７３】
図１８に、全選択がされる前のサーバSVの管理項目情報KDBを示している。
ここでは、管理項目情報KDBは、１００個の情報項目からなり、各情報項目の選択有無情報SFは、すべてゼロであったとする。
【０１７４】
ステップS61において、サーバSVの通信部１０４によって、削除要求DEL10が受信される。
ステップS62において、項目選択情報取得部１１３が、受信された削除要求DEL10の削除要求情報に含まれる表示項目選択情報を取得する。
ここでは、端末TEで現在表示されているｎ個の情報項目の情報が取得される。
【０１７５】
ステップS63において、取得した表示項目選択情報の選択有無情報SFが１（選択）である情報項目を、サーバSVの管理項目情報KDBから、削除する。
図１８に示す削除要求情報が受信された場合は、２つの情報項目（MFP001、MFP003）が選択されているので、この２つの情報項目（MFP001、MFP003）が削除される。
【０１７６】
ステップS64において、未表示項目処理部１１４が、受信された削除要求DEL10の削除要求情報に含まれる未表示項目情報を取得する。
ステップS65において、未表示項目情報の選択有無情報SFが１（選択）なので、サーバSVの管理項目情報KDBから、端末TEに現在表示されていない情報項目（未表示項目：MFP011からMFP100）をすべて、削除する。
【０１７７】
このように、削除入力がされた後において、削除要求を受信したサーバSVの管理項目情報KDBでは、図１８に示すように、選択されていた２つの情報項目（MFP001、MFP003）と、未表示項目（MFP011からMFP100）とが、管理項目情報KDBから削除される。
【０１７８】
（全選択入力をせずに、項目削除入力をした場合のシーケンス）
図１９に、情報処理端末において、全選択入力をせずに、項目削除入力をした場合のシーケンスの一実施例の説明図を示す。
端末TEにおいて、全選択入力がされていない一覧表示状態であったとする。
この場合、図１９に示すように、全選択入力がされず、個別項目の選択前であれば、全選択のチェックボックスには、チェックが入っていない状態である。
ただし、ｎ個の情報項目のうち、情報項目MFP002のチェックボックスには、チェックが入った状態であったとする。
【０１７９】
図１９のステップT61-2において、ユーザが、表示された情報項目について、図１９に示したように、個別の選択入力をし、さらに、削除要求をするための入力をしたとする。
ここでは、ｎ個の情報項目のうち、２つの情報項目（MFP001、MFP004）のチェックボックスに、新たにチェックが入れられ、３つの情報項目（MFP001、MFP002、MFP004）のチェックボックスに、チェックが入った状態になったとする。
【０１８０】
図１９のステップT62-2において、項目選択情報生成部２４が、表示画面に現在表示されているｎ個の情報項目のうち、ユーザが個別に選択入力した情報項目についての表示項目選択情報の選択有無情報SFに、選択を意味する１を設定する。
その他の表示項目選択情報の選択有無情報SFは、非選択を意味するゼロ（非選択）のままである。
図１９のステップT63-2において、項目選択情報生成部２４が、表示画面に現在表示されていない項目に関する未表示項目情報の選択有無情報SFに、非選択を意味するゼロ（非選択）を設定する。
【０１８１】
ステップT64において、項目削除要求部２６が、上記で設定した選択有無情報SFを含む削除要求情報を生成する。
たとえば、表示項目数ｎが１０の場合、図１９に示すような削除要求情報が生成される。
ステップT65において、生成された削除要求情報を含む削除要求DEL10が、サーバSVに送信される。
【０１８２】
図１９に、個別の項目選択が入力される前のサーバSVの管理項目情報KDBを示している。
ここでは、管理項目情報KDBは、１００個の情報項目からなり、情報項目MFP002の選択有無情報SFのみが１であり、その他の各情報項目の選択有無情報SFは、すべてゼロであったとする。
【０１８３】
ステップS61において、サーバSVの通信部１０４によって、削除要求DEL10が受信される。
ステップS62において、項目選択情報取得部１１３が、受信された削除要求DEL10の削除要求情報に含まれる表示項目選択情報を取得する。
ここでは、端末TEで現在表示されているｎ個の情報項目の情報が取得される。
【０１８４】
ステップS63において、取得した表示項目選択情報の選択有無情報SFが１（選択）である情報項目を、サーバSVの管理項目情報KDBから、削除する。
図１９に示す削除要求情報が受信された場合は、３つの情報項目（MFP001、MFP002、MFP004）が選択されているので、この３つの情報項目（MFP001、MFP002、MFP004）が削除される。
【０１８５】
ステップS64において、未表示項目処理部１１４が、受信された削除要求DEL10の削除要求情報に含まれる未表示項目情報を取得する。
削除要求情報に含まれる未表示項目情報の選択有無情報SFがゼロ（非選択）なので、サーバSVの管理項目情報KDBの未表示項目に対応する項目は削除しない。
【０１８６】
このように、削除入力がされた後において、削除要求を受信したサーバSVの管理項目情報KDBでは、図１９に示すように、選択されていた３つの情報項目（MFP001、MFP002、MFP004）のみが管理項目情報KDBから削除され、未表示項目（MFP011からMFP100）は、管理項目情報KDBから削除されない。
【０１８７】
＜実施例８：フィルタ付き削除要求入力をした場合のシーケンス＞
図２０に、情報処理端末において、フィルタ付き削除要求の入力をした場合に、情報管理装置で記憶される管理項目情報と、通信される情報の一実施例の説明図を示す。
図２０（a）に、端末TEにおいて項目一覧要求をする前のサーバSVの管理項目情報KDBの記憶状態の一実施例を示す。
ここでは、各情報項目に対応する装置の動作が正常であるか不良であるかを示すエラー（ER）情報も、示している。
このエラー（ER）情報は、本来、装置の動作状態を示す情報なので、項目内容に含まれる情報であるが、フィルタの機能を説明するために、項目内容とは別に示している。
【０１８８】
エラー（ER）情報において、ゼロはエラーがないこと（動作が正常である）を意味し、E1は動作不良が発生していることを意味するものとする。
また、図２０（a）では、サーバSVで管理されている１００個の情報項目のうち、MFP001やMFP003など、３０個の情報項目に動作不良が発生しているものとする。
また、項目一覧要求をする前においては、選択有無情報SFは、すべてゼロであり、管理されているすべての情報項目は、未選択であるものとする。
【０１８９】
図２０（a）のようなサーバSVの管理項目情報KDBの記憶状態において、端末TEから、図２０（c）のような項目一覧要求情報REQ02を含む一覧要求が、サーバSVに送信されたとする。
項目一覧要求情報REQ02は、処理要求識別名がREQ02であり、表示項目数ｎが１０であり、一覧要求条件（フィルタ）が、エラー（ER）であったとする。
端末TEにおいて、ユーザが、現在、エラーが発生している画像形成装置の一覧要求をするために、一覧要求条件として、エラー（ER）を入力した場合に、図２０（c）の項目一覧要求情報REQ02が生成される。
【０１９０】
図２０（d）は、図２０（c）の項目一覧要求情報REQ02を含む一覧要求が、サーバSVに受信された場合に、サーバSVで生成される応答項目情報ANS02を示している。
応答項目情報ANS02は、ANS02という応答識別名と、エラー（ER）という一覧要求条件と、応答項目（項目名KNO、項目内容CNT、選択有無情報SF）を含む。
端末TEから送信された一覧要求REQ02には、一覧要求条件（フィルタ）としてエラー（ER）を含むので、サーバSVでは、管理項目情報KDBから、この一覧要求条件に一致する情報項目を探し出す。
ここで、管理項目情報KDBの中のエラー（ER）情報を確認して、エラー（ER）情報がE1となっている情報項目、すなわち、エラーが発生している画像形成装置を探し出す。
【０１９１】
項目一覧要求が受信される前の管理項目情報KDBが、図２０（a）に示した管理項目情報KDBであったとすると、エラー発生状態のMFP001やMFP003などの３０個の情報項目が抽出される。
ただし、一覧要求REQ02に含まれる表示項目数ｎが１０であったとすると、この３０個の情報項目のうち、10個の情報項目が選択され、10個の応答項目が応答項目情報ANS02に含められる。
すなわち、図２０（d）に示すように、エラー発生状態の３０個の情報項目のうち、MFP001からMFP050までの１０個の情報項目が、応答項目情報ANS02に含められ、MFP051からMFP099までの２０個のエラー発生状態の情報項目は、応答項目情報ANS02に含められない。
【０１９２】
サーバSVにおいて、図２０（d）に示すような応答項目情報ANS02が生成されると、この応答項目情報ANS02を含む一覧要求応答が、一覧要求REQ02を送信してきた端末TEに送信される。
【０１９３】
図２２に、情報処理端末においてフィルタ付き削除要求の入力をした場合に、情報処理端末と情報管理装置との間における項目一覧要求送信と応答項目情報受信のシーケンスの一実施例の説明図を示す。
情報処理端末TEと情報管理装置SVとの間において、項目一覧要求と応答項目情報が送受信される点は、図１１に示したシーケンスと同じであるが、フィルタ（条件制限）を付けるので、図２０（c）と図２０（d）のように、送受信される情報の内容が異なり、フィルタ（条件制限）に関係するステップが追加される点が、図１１のシーケンスと異なる。
【０１９４】
図１１のステップT71において、ユーザが、端末TEの操作部１２によって、フィルタ（条件制限）の内容を設定入力する。たとえば、フィルタ（条件制限）として、エラー（ER）を入力する。
たとえば、ユーザが、端末TEの表示部１３に、複数のフィルタ（条件制限）を選択することの可能な画面を表示させ、その中から、所望のフィルタ（条件制限）であるエラー（ER）を選択する操作をする。
【０１９５】
次に、ステップT72において、ステップT1と同様に、ユーザが、項目一覧表示要求を意味する入力操作をする。
たとえば、ユーザが、端末TEの表示部１３に、所定の処理要求を選択することの可能な画面を表示させ、その中から、項目一覧表示要求を選択する操作をする。
【０１９６】
制御部１１が、この項目一覧表示要求の入力操作がされたことを確認すると、表示項目数算出部２１に、表示部１３の表示画面に情報項目の一覧表示をするときに表示可能な項目数を計算させる。
ステップT73において、ステップT2と同様に、端末TEの表示項目数算出部２１が、現在の表示画面の解像度や文字の大きさの設定情報を利用して、表示項目数ｎを算出する。
たとえば、１つの表示画面に一覧表示できる情報項目の数が、１０である場合、表示項目数ｎに１０を記憶する。
【０１９７】
ステップT74において、ステップT3と同様に、表示項目要求部２２が、項目一覧要求を、サーバＳＶに送信する。ここでは、たとえば、図２０（c）に示したような項目一覧要求情報REQ002を生成し、表示項目数ｎ（ｎ＝１０）と、一覧要求条件（エラー：ER）とを含む項目一覧要求REQ002を送信する。
【０１９８】
ステップS71において、ステップS1と同様に、サーバSVの通信部１０４が、項目一覧要求REQ002を受信する。
ステップS72において、サーバSVの表示条件制限処理部１１８が、受信した項目一覧要求情報REQ002に含まれる一覧要求条件（エラー：ER）を取得する。
ステップS73において、サーバSVの管理項目情報KDBの中から、一覧要求条件であるフィルタ（エラー：ER）に一致する対応管理項目を取得する。
ここで、たとえば、上記したように、サーバSVの管理項目情報KDBが、図２０（a）に示した管理項目情報KDBであるときに、図２０（c）に示した項目一覧要求情報REQ002を取得した場合、管理項目情報KDBから、フィルタ（エラー：ER）に一致する３０個の対応管理項目が取得される。
【０１９９】
ステップS74において、ステップS2と同様に、サーバSVの項目取得要求処理部１１１が、受信した項目一覧要求情報に含まれる表示項目数ｎを取得する。
ステップS75において、ステップS3と同様に、項目取得要求処理部１１１が、記憶部１５０に記憶されている管理項目情報KDBの中から、表示項目数ｎに相当する個数（ｎ個）の管理情報項目を取得する。
ステップS76において、ステップS4と同様に、応答項目生成部１１２が、取得したｎ個の管理情報項目を含む応答項目情報を生成する。
たとえば、表示項目数ｎが１０の場合、図２０（d）に示すように、１０個の情報項目からなる応答項目を含む応答項目情報ANS02が生成される。
【０２００】
ステップS77において、ステップS5と同様に、生成した応答項目情報ANS02を含む一覧要求応答ANS02を、一覧要求をしてきた端末TEに送信する。
表示項目数ｎが１０の場合、図２０（d）に示したような一覧要求応答ANS02が、端末TEに送信される。
図２０（a）に示したように、管理項目情報KDBに、フィルタ付き一覧要求に対応する情報項目が３０個存在する場合でも、端末TEに送信される情報項目の数は、表示項目数ｎに相当する１０個に制限される。
【０２０１】
ステップT75において、ステップT4と同様に、端末TEの通信部１４が、応答項目情報ANS02を受信する。
ステップT76において、ステップT5と同様に、表示項目取得部２３が、受信したｎ個の応答項目情報を取得し、記憶部５０に、受信応答項目情報５２として記憶する。
たとえば、図２０（d）に示したような１０個の応答項目が記憶される。
【０２０２】
ステップT77において、ステップT6と同様に、表示項目取得部２３が、取得したｎ個の情報項目を、表示部１２に、一覧表示する。
たとえば、図２０（d）のように、受信した１０個の応答項目情報のすべての選択有無情報SFが選択無しの場合、図２２に示すように、１０個の情報項目のすべてのチェック欄のチェックボックスにチェックがされていない情報項目の一覧表示がされる。
また、この一覧表示において、ユーザが、フィルタ（条件制限）を入力したので、フィルタ欄を表示し、フィルタ（条件制限）を付けたことを意味するフィルタのチェックボックスを設け、このチェックボックスにチェックを表示し、そのフィルタ（条件制限）の内容が、エラー（ER）であることを表示してもよい。
【０２０３】
図２１に、情報処理端末においてフィルタ付き削除要求の入力をした場合に、情報処理端末で表示される項目情報の一実施例の説明図を示す。
図２１の各図面では、説明のために項目内容を省略しているが、表示画面には、項目内容も表示される。
図２１（a）に、端末TEにおいて、受信したフィルタ（エラー：ER）に一致する対応管理項目の表示であって、全選択をする前で、情報項目のすべてのチェック欄のチェックボックスにチェックがされていない場合の一覧表示を示す。この一覧表示は、図２２に示した一覧表示と同じものである。
【０２０４】
図２１（a）の表示状態において、ユーザが、表示画面に現在表示されているエラー状態の情報項目と、表示画面に現在表示されていないエラー状態の情報項目を含め、エラー状態にある全ての情報項目を削除しようとする場合、ユーザは、全選択のチェックボックスに、チェックを入力する。
この場合、全選択のチェックボックスにチェックを入力したので、図２１（b）に示したような全選択後の一覧表示となる。すなわち、全選択のチェックボックスと、各情報項目のチェックボックスにチェックが表示される。
【０２０５】
そして、ユーザは、この表示を確認した後、削除を意味するキー入力操作をする。
この削除入力操作によって、後述する図２３のように、ユーザによって設定されたフィルタ（エラー：ER）に一致するすべての情報項目が、サーバSVの管理項目情報KDBから、削除される。
たとえば、図２０（a）に示したサーバSVの管理項目情報KDBのように、３０個のエラー状態の情報項目が存在していた場合、３０個のエラー状態の情報項目のすべてが削除され、る。図２０（b）に示したような管理項目情報KDBとなる。
【０２０６】
図２１（c）に、全選択後であって、個別非選択入力をする前の一覧表示を示す。
これは、図２１（b）の一覧表示と同じ表示である。
図２１（c）の表示状態で、ユーザは、表示画面に表示されている情報項目について、個別に、非選択入力をすることができる。
図２１（d）に、ユーザが、個別非選択入力をした後の一覧表示の一実施例を示す。
図２１（d）では、２つの情報項目（MFP003、MFP011）について、チェックボックスのチェックがはずされ、個別に非選択入力がされている。
【０２０７】
図２１（d）の一覧表示の状態で、ユーザが、この表示を確認した後、削除を意味するキー入力操作をしたとする。
この場合は、削除入力操作によって、後述する図２４のように、ユーザによって設定されたフィルタ（エラー：ER）に一致する情報項目のうち、表示画面に現在表示されておりかつチェックボックスにチェックが入っている情報項目と、表示画面に現在表示されていない情報項目が、サーバSVの管理項目情報KDBから、削除される。
ただし、図２１（d）の場合は、２つの情報項目（MFP003、MFP011）は、削除されない。
【０２０８】
図２１（e）に、全選択をしていない状態で、個別選択入力をする前の一覧表示を示す。
これは、図２１（a）の一覧表示と同じ表示である。
図２１（e）の表示状態で、ユーザは、表示画面に表示されている情報項目について、個別に、選択入力をすることができる。
図２１（f）に、ユーザが、個別選択入力をした後の一覧表示の一実施例を示す。
図２１（f）では、２つの情報項目（MFP001、MFP003）のチェックボックスに、個別に、チェックが選択入力された状態を示している。
【０２０９】
図２１（f）の一覧表示の状態で、ユーザが、この表示を確認した後、削除を意味するキー入力操作をしたとする。
この場合は、削除入力操作によって、ユーザによって設定されたフィルタ（エラー：ER）に一致する情報項目のうち、表示画面に現在表示されておりかつチェックボックスにチェックが入っている情報項目（MFP001、MFP003）のみが、サーバSVの管理項目情報KDBから、削除される。
表示画面に現在表示されているがチェックボックスにチェックが入っていない情報項目（MFP010、MFP050など）と、表示画面に現在表示されていない情報項目は、削除されない。
【０２１０】
図２１に、ユーザの行う３つの選択入力操作と削除入力操作の一実施例を示した。
このように、フィルタ（条件制限）に一致する情報項目のうち、表示項目数ｎに相当する個数の情報項目の一覧表示をさせた状態で、全選択、全選択後の個別非選択、個別選択などの入力操作をすることにより、表示画面に現在表示されている情報項目の削除と、表示画面に現在表示されていないすべての情報項目についての削除あるいは非削除の処理を行うことができる。
【０２１１】
特に、表示画面に現在表示されていないすべての情報項目について削除をする場合、従来のように、表示されていない複数の情報項目を表示画面に表示させた後に、選択入力をして削除操作をするという一連の削除入力操作を繰り返し行う必要がなく、全選択を意味する入力操作をして削除操作をするだけで、表示画面に現在表示されていないすべての情報項目についての選択と削除ができるので、ユーザの操作負担を軽減することができる。
【０２１２】
ただし、図２１に示していないが、全非選択、全非選択後の個別選択などの入力操作をした後に、削除入力操作をすることもできる。
また、情報項目の選択後に、選択された情報項目に対して行う処理は、削除処理に限るものではなく、その他の処理（たとえば、情報更新要求処理、電源制御要求処理、ファームウェア更新要求処理、セキュリティ設定検証要求処理など）を行ってもよい。
【０２１３】
（全選択入力後に、項目削除入力をした場合のシーケンス）
図２３に、情報処理端末においてフィルタ付き削除要求の入力をする場合において、全選択入力後に、項目削除入力をした場合のシーケンスの一実施例の説明図を示す。
このシーケンスは、上記した図２１（a）と図２１（b）に相当する。
【０２１４】
ユーザが、端末TEにおいて、図２２に示したように、エラー（ER）を意味するフィルタ（条件制限）を設定入力し、全選択も個別選択も入力せずに、一覧表示要求をし、サーバSVから送信されてきた項目を一覧表示している状態であるとする。
このとき、全選択も個別選択も入力されていないので、図２１（a）および図２２に示すような一覧表示がされ、ｎ個の情報項目すべてが選択されていない表示状態で、未表示項目も非選択状態である。フィルタ（条件制限）が、エラー（ER）の場合は、エラーが発生している情報項目が一覧表示されている。
【０２１５】
図２３のステップT81において、ユーザが、端末TEの操作部１２によって、項目一覧の全選択を意味する入力操作をする。
これにより、全選択のチェックボタンにチェックが入れられ、さらに、現在表示されているすべての情報項目のチェックボタンにチェックが入れられ、図２１（b）に示したような表示状態となる。
さらに、ユーザが、削除入力をしたとする。
【０２１６】
次のようにして、全選択と削除の入力操作に対応して、図２０（e）に示すような条件制限要求情報DEL12が生成される。
まず、ステップT82において、項目表示条件制限部２７が、表示画面に現在表示されているｎ個の情報項目について、表示項目選択情報の選択有無情報SFに、選択を意味する１を設定する。
ステップT83において、項目表示条件制限部２７が、表示画面に現在表示されていない項目に関する未表示項目情報の選択有無情報SFに、選択を意味する１を設定する。
【０２１７】
ステップT84において、項目表示条件制限部２７が、上記で設定した選択有無情報SFを含む条件制限要求情報を生成する。
たとえば、表示項目数ｎが１０の場合、図２０（e）や図２３に示すような条件制限要求情報DEL12が生成される。
エラー（ER）を意味するフィルタ（条件制限）の設定と、削除入力がされているので、条件制限要求情報DEL12には、処理要求識別名として、フィルタ付き削除要求を意味するDEL12が設定され、一覧要求条件として、エラー（ER）が設定される。
また、選択内容の選択有無情報SFには、すべて１が設定される。
ステップT85において、生成された条件制限要求情報DEL12を含むフィルタ付き削除要求が、サーバSVに送信される。
【０２１８】
ステップS81において、サーバSVの通信部１０４によって、フィルタ付き削除要求DEL12が受信される。
ステップS82において、項目選択情報取得部１１３が、受信されたフィルタ付き削除要求DEL12の条件制限要求情報に含まれる表示項目選択情報を取得する。
ここでは、端末TEで現在表示されているｎ個の情報項目の情報が取得される。
【０２１９】
ステップS83において、表示条件制限処理部１１８が、取得した表示項目選択情報の選択有無情報SFが１（選択）である情報項目を、サーバSVの管理項目情報KDBから、削除する。
図２０（e）に示す条件制限要求情報DEL12が受信された場合は、１０個のすべての情報項目（MFP001、MFP003、MFP010、MFP050など）が選択されているので、１０個のすべての情報項目（MFP001、MFP003、MFP010、MFP050など）が削除される。
【０２２０】
ステップS84において、未表示項目処理部１１４が、受信された条件制限要求情報DEL12に含まれる未表示項目情報を取得する。
ステップS85において、未表示項目情報の選択有無情報SFが１（選択）なので、サーバSVの管理項目情報KDBのうち、エラー状態（E1）となっている端末TEに現在表示されていない情報項目（MFP051からMFP100までの未表示項目のうちE1が設定されている項目：MFP052、MFP099）をすべて、削除する。
【０２２１】
このように、全選択後に削除入力がされた場合において、条件制限要求情報DEL12を受信したサーバSVの管理項目情報KDBでは、図２３に示すように、エラー状態（E1）となっている選択されていた情報項目（MFP001、MFP003、MFP010、MFP011、MFP050）と、エラー状態（E1）となっている未表示項目（MFP052、MFP099）とが、管理項目情報KDBから削除される。
【０２２２】
（全選択入力後に、個別非選択入力をし、項目削除入力をした場合のシーケンス）
図２４に、情報処理端末においてフィルタ付き削除要求の入力をする場合において、全選択入力後に、個別非選択入力をし、項目削除入力をした場合のシーケンスの一実施例の説明図を示す。
このシーケンスは、上記した図２１（c）と図２１（d）に相当する。
【０２２３】
ユーザが、端末TEにおいて、図２２に示したように、エラー（ER）を意味するフィルタ（条件制限）を設定入力し、全選択も個別選択も入力せずに、一覧表示要求をし、サーバSVから送信されてきた項目が一覧表示された後、ユーザが、項目一覧の全選択を意味する入力操作をした状態であるとする。
この場合、全選択が入力されているので、図２１（c）および図２４に示すような一覧表示がされ、ｎ個の情報項目すべてが選択されている表示状態で、未表示項目も選択状態である。フィルタ（条件制限）が、エラー（ER）の場合は、エラーが発生している情報項目が一覧表示されている。
【０２２４】
図２４のステップT91において、ユーザが、表示された情報項目について、図２１（d）に示したように、個別の非選択入力をし、さらに、削除要求をするための入力をしたとする。
【０２２５】
ステップT92において、項目表示条件制限部２７が、表示画面に現在表示されているｎ個の情報項目のうち、ユーザが個別に非選択入力した情報項目についての表示項目選択情報の選択有無情報SFに、非選択を意味するゼロを設定する。
その他の表示項目選択情報の選択有無情報SFは、選択を意味する１（選択）のままである。
ステップT93において、項目表示条件制限部２７が、表示画面に現在表示されていない項目に関する未表示項目情報の選択有無情報SFに、選択を意味する１（選択）を設定する。
【０２２６】
ステップT94において、項目表示条件制限部２７が、上記で設定した選択有無情報SFを含む条件制限要求情報を生成する。
たとえば、表示項目数ｎが１０の場合、図２４に示すような条件制限要求情報DEL12が生成される。
エラー（ER）を意味するフィルタ（条件制限）の設定と、削除入力がされているので、条件制限要求情報DEL12には、処理要求識別名として、フィルタ付き削除要求を意味するDEL12が設定され、一覧要求条件として、エラー（ER）が設定される。
また、選択内容の選択有無情報SFにおいて、選択されている情報項目の選択有無情報SFに、１が設定され、選択されていない情報項目の選択有無情報SFには、ゼロが設定される。
ステップT95において、生成された条件制限要求情報DEL12を含むフィルタ付き削除要求が、サーバSVに送信される。
【０２２７】
ステップS91において、サーバSVの通信部１０４によって、フィルタ付き削除要求DEL12が受信される。
ステップS92において、項目選択情報取得部１１３が、受信されたフィルタ付き削除要求DEL12の条件制限要求情報に含まれる表示項目選択情報を取得する。
ここでは、端末TEで現在表示されているｎ個の情報項目の情報が取得される。
【０２２８】
ステップS93において、表示条件制限処理部１１８が、取得した表示項目選択情報の選択有無情報SFが１（選択）である情報項目を、サーバSVの管理項目情報KDBから、削除する。
図２４に示す条件制限要求情報DEL12が受信された場合は、１０個の情報項目のうち、選択有無情報SFが１（選択）となっている情報項目（MFP001、MFP010、MFP050）が削除される。
【０２２９】
ステップS94において、未表示項目処理部１１４が、受信された条件制限要求情報DEL12に含まれる未表示項目情報を取得する。
ステップS95において、未表示項目情報の選択有無情報SFが１（選択）なので、サーバSVの管理項目情報KDBのうち、エラー状態（E1）となっている端末TEに現在表示されていない情報項目（MFP051からMFP100までの未表示項目のうちE1が設定されている項目：MFP052、MFP099）をすべて、削除する。
【０２３０】
このように、全選択後、個別非選択入力がされ、さらに削除入力がされた場合において、条件制限要求情報DEL12を受信したサーバSVの管理項目情報KDBでは、図２４に示すように、エラー状態（E1）となっている選択されていた情報項目（MFP001、MFP010、MFP050）と、エラー状態（E1）となっている未表示項目（MFP052、MFP099）とが、管理項目情報KDBから削除される。
【符号の説明】
【０２３１】
１  情報処理端末（ＴＥ）、
２  情報管理装置（ＳＶ）、
３  ネットワーク、
１１  制御部、
１２  操作部、
１３  表示部、
１４  通信部、
２１  表示項目数算出部、
２２  表示項目要求部、
２３  表示項目取得部、
２４  項目選択情報生成部、
２５  選択項目処理要求部、
２６  項目削除要求部、
２７  項目表示条件制限部、
５０  記憶部、
５１  表示項目数、
５２  受信応答項目情報、
５３  表示項目一覧情報、
５４  一括選択情報、
５５  一括非選択情報、
５６  個別選択情報、
５７  個別非選択情報、
５８  個別一部選択情報、
５９  削除要求情報、
６０  条件制限要求情報、
１０１  制御部、
１０２  操作部、
１０３  表示部、
１０４  通信部、
１１１  項目取得要求処理部、
１１２  応答項目生成部、
１１３  項目選択情報取得部、
１１４  未表示項目処理部、
１１５  選択有無更新部、
１１６  要求処理実行部、
１１７  項目削除処理部、
１１８  表示条件制限処理部、
１５０  記憶部、
１５１  管理項目情報、
１５２  受信表示項目数、
１５３  応答項目情報、
１５４  表示項目選択情報、
１５５  未表示項目情報
【図１】
2020126484.tif 000003
【図２】
2020126484.tif 000004
【図３】
2020126484.tif 000005
【図４】
2020126484.tif 000006
【図５】
2020126484.tif 000007
【図６】
2020126484.tif 000008
【図７】
2020126484.tif 000009
【図８】
2020126484.tif 000010
【図９】
2020126484.tif 000011
【図１０】
2020126484.tif 000012
【図１１】
2020126484.tif 000013
【図１２】
2020126484.tif 000014
【図１３】
2020126484.tif 000015
【図１４】
2020126484.tif 000016
【図１５】
2020126484.tif 000017
【図１６】
2020126484.tif 000018
【図１７】
2020126484.tif 000019
【図１８】
2020126484.tif 000020
【図１９】
2020126484.tif 000021
【図２０】
2020126484.tif 000022
【図２１】
2020126484.tif 000023
【図２２】
2020126484.tif 000024
【図２３】
2020126484.tif 000025
【図２４】
2020126484.tif 000026